(57)【特許請求の範囲】
【請求項１】
ワイヤレス通信の方法であって、
競合ベースの共有スペクトル上のサービング基地局からのチャネル使用信号を、ユーザ機器（ＵＥ）によって監視することと、
前記チャネル使用信号が検出されたとき、構成されたオン持続時間タイマーに基づくオン持続時間の間に前記競合ベースの共有スペクトル上のダウンリンク制御チャネルを監視することと、
非アクティビティタイマー、ここにおいて、前記非アクティビティタイマーは、前記ダウンリンク制御チャネルを検出したことに応答して開始される、または
前記構成されたオン持続時間タイマー
の一方の満了時にスリープモードに入ることと、
前記オン持続時間の間に前記チャネル使用信号を検出したことに応答して発見基準信号（ＤＲＳ）を監視することと、
前記ＤＲＳを測定することと、
ＤＲＳが検出されない間の前記オン持続時間の間に最後に正常に受信されたＤＲＳからの期間長さを監視することと、
前記期間長さがしきい値を超えるとき、前記ＤＲＳを監視するために前記ＵＥにおいてウェイクアップサイクルを開始することと、ここにおいて、前記ウェイクアップサイクルが前記ＤＲＳの周期性に対応する、
を備える、方法。
【請求項２】
ウェイクアップタイマーを開始することと、ここにおいて、前記ＵＥは、前記ウェイクアップタイマーが開始されるときにチャネル使用信号を前記監視することを開始するために前記スリープモードからウェイクアップする、
前記ウェイクアップタイマーの満了前に前記チャネル使用信号が検出されないときに前記スリープモードに再び入ることと
をさらに含む、請求項１に記載の方法。
【請求項３】
前記ウェイクアップタイマーが、前記サービング基地局から受信された構成信号に基づいて構成される、請求項２に記載の方法。
【請求項４】
ワイヤレス通信用に構成された装置であって、前記装置が、
競合ベースの共有スペクトル上のサービング基地局からのチャネル使用信号を、ユーザ機器（ＵＥ）によって監視するための手段と、
前記チャネル使用信号が検出されたとき、構成されたオン持続時間タイマーに基づくオン持続時間の間に前記競合ベースの共有スペクトル上のダウンリンク制御チャネルを監視するための手段と、
非アクティビティタイマー、ここにおいて、前記非アクティビティタイマーは、前記ダウンリンク制御チャネルを検出したことに応答して開始される、または
前記構成されたオン持続時間タイマー
の一方の満了時にスリープモードに入るための手段と、
前記オン持続時間の間に前記チャネル使用信号を検出したことに応答して発見基準信号（ＤＲＳ）を監視するための手段と、
前記ＤＲＳを測定するための手段と、
ＤＲＳが検出されない間の前記オン持続時間の間に最後に正常に受信されたＤＲＳからの期間長さを監視するための手段と、
前記期間長さがしきい値を超えるとき、前記ＤＲＳを監視するために前記ＵＥにおいてウェイクアップサイクルを開始するための手段と、前記ウェイクアップサイクルが前記ＤＲＳの周期性に対応する、
を備える、装置。
【請求項５】
ウェイクアップタイマーを開始するための手段と、ここにおいて、前記ＵＥは、前記ウェイクアップタイマーが開始されるときにチャネル使用信号を前記監視することを開始するために前記スリープモードからウェイクアップする、
前記ウェイクアップタイマーの満了前に前記チャネル使用信号が検出されないときに前記スリープモードに再び入るための手段と
をさらに含む、請求項４に記載の装置。
【請求項６】
実行されたとき、コンピュータに、請求項１乃至３のいずれかに記載の方法を行わせる、記憶されたプログラムコードを有するコンピュータ可読記憶媒体。
【発明の詳細な説明】
【技術分野】
【０００１】
関連出願の相互参照
[0001]本出願は、参照によりそれらの開示が本明細書に組み込まれる、２０１５年３月２７日に出願した「ＤＩＳＣＯＮＴＩＮＵＯＵＳ  ＲＥＣＥＰＴＩＯＮ  ＩＮ  ＬＴＥ／ＬＴＥ−Ａ  ＮＥＴＷＯＲＫＳ  ＩＮＣＬＵＤＩＮＧ  ＣＯＮＴＥＮＴＩＯＮ−ＢＡＳＥＤ  ＦＲＥＱＵＥＮＣＹ  ＳＰＥＣＴＲＵＭ」と題する米国仮特許出願第６２／１３９，２１２号、および２０１６年３月８日に出願した「ＤＩＳＣＯＮＴＩＮＵＯＵＳ  ＲＥＣＥＰＴＩＯＮ  ＩＮ  ＬＴＥ／ＬＴＥ−Ａ  ＮＥＴＷＯＲＫＳ  ＩＮＣＬＵＤＩＮＧ  ＣＯＮＴＥＮＴＩＯＮ−ＢＡＳＥＤ  ＦＲＥＱＵＥＮＣＹ  ＳＰＥＣＴＲＵＭ」と題する米国実用特許出願第１５／０６４，３８３号の利益を主張するものである。
【０００２】
[0002]本開示の態様は、一般にワイヤレス通信システムに関し、より詳細には、競合ベースの周波数スペクトルを含むロングタームエボリューション（ＬＴＥ（登録商標））／ＬＴＥアドバンスト（ＬＴＥ−Ａ）ネットワークにおける間欠受信（ＤＲＸ）に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することにより、複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムがある。
【０００４】
[0004]例として、ワイヤレス多元接続通信システムは、場合によってはユーザ機器（ＵＥ）として知られる、複数の通信デバイスのための通信を各々が同時にサポートする、いくつかの基地局を含み得る。基地局は、（たとえば、基地局からＵＥへの送信のために）ダウンリンクチャネル上で、および（たとえば、ＵＥから基地局への送信のために）アップリンクチャネル上で、ＵＥと通信し得る。
【０００５】
[0005]いくつかの通信モードは、セルラーネットワークの競合ベースの共有無線周波数スペクトル帯域上での、または異なる無線周波数スペクトル帯域（たとえば、認可無線周波数スペクトル帯域または無認可無線周波数スペクトル帯域）上での基地局とＵＥとの間の通信を可能にし得る。認可無線周波数スペクトル帯域を使用するセルラーネットワークにおいて増加しているデータトラフィックとともに、無認可無線周波数スペクトル帯域への少なくとも一部のデータトラフィックのオフローディングが、拡張されたデータ伝送容量のための機会をセルラー事業者に提供し得る。無認可無線周波数スペクトル帯域はまた、認可無線周波数スペクトル帯域へのアクセスが利用可能でないエリアにサービスを提供し得る。
【０００６】
[0006]競合ベースの共有無線周波数スペクトル帯域へのアクセスを獲得し、その帯域上で通信するより前に、基地局またはＵＥは、共有無線周波数スペクトル帯域へのアクセスを求めて競合するために、リッスンビフォアトーク（ＬＢＴ：listen before talk）手順を実行し得る。ＬＢＴ手順は、競合ベースの共有無線周波数スペクトル帯域のチャネルが利用可能であるかどうかを決定するために、クリアチャネルアセスメント（ＣＣＡ：clear channel assessment）手順を実行することを含み得る。競合ベースの共有無線周波数スペクトル帯域のチャネルが利用可能であると決定されたとき、チャネルを予約するためにチャネル使用ビーコン信号（ＣＵＢＳ：channel usage beacon signal）など、チャネル予約信号またはチャネル使用信号が送信され得る。
【発明の概要】
【０００７】
[0007]間欠受信（ＤＲＸ）は、ＵＥが、周期的にスリープモードに入り、制御チャネルをリッスンするために周期的にウェイクすることによって電力を節約するためのプロセスを提供する。競合ベースのスペクトルの何らかの組合せによって構成されるネットワークの場合、既存のＤＲＸ手順に対する変形形態が実装される場合がある。いくつかの態様は、すべてのキャリアおよびセルにわたって共通のＤＲＸを提供する。基地局がチャネルを確保するのに十分なだけ長くＵＥがアクティブである確率を増大させるために、持続時間が増加される場合がある。また、ＤＲＸコマンドは、電力を節約するためにＵＥに動的にスリープモードに入らせる場合がある。追加の態様は、１次セルおよび２次セルの各々に適用される別個のＤＲＸ構成を提供する。高速ウェイクアップ信号または高速スリープ信号など、追加のトリガリング信号は、２次キャリアの競合ベースのスペクトルを監視するためにＵＥをウェイクすること、または監視が終わった後にＵＥにスリープモードに入らせることのいずれかを行わせる場合がある。さらなる態様は、検出されたＣＵＢＳまたは他のチャネル使用信号に応答して、競合ベースのスペクトル内でＤＲＸ手順を開始するための技法を提供する。
【０００８】
[0008]一態様では、ワイヤレス通信の方法は、第１のアクティブ時間の持続時間の間に１次キャリアをＵＥによって監視することと、ここにおいて、第１のアクティブ時間の持続時間は１つまたは複数のＤＲＸタイマーに少なくとも部分的に基づき、１次キャリアは非競合ベースのキャリアである、第２のアクティブ時間の持続時間の間に２次キャリアをＵＥによって監視することと、ここにおいて、第２のアクティブ時間の持続時間は第１のアクティブ時間の持続時間に基づき、２次キャリアは競合ベースのキャリアである、物理レイヤチャネル上でＤＲＸコマンドを受信することと、ＤＲＸコマンドに応答してＵＥにおいて２次キャリア上でスリープモードに入ることとを含む。
【０００９】
[0009]別の態様では、ワイヤレス通信の方法は、非競合ベースのスペクトルを有する１次セルに対する第１のＤＲＸサイクル長さ、第１のＤＲＸオフセット、および第１のＤＲＸオン持続時間、ならびに競合ベースの共有スペクトルを有する２次セルに対する第２のＤＲＸサイクル長さ、第２のＤＲＸオフセット、および第２のＤＲＸオン持続時間を識別する構成信号をＵＥにおいて受信することと、ここにおいて、第１のＤＲＸサイクル長さ、第１のＤＲＸオフセット、第２のＤＲＸサイクル長さ、および第２のＤＲＸオフセットは、ＵＥの第１のＤＲＸオン持続時間と２次ＤＲＸオン持続時間との間の少なくとも部分的重複を確実にする、第１のＤＲＸオン持続時間に設定された第１のオン持続時間タイマーの間の１次セルおよび第２のＤＲＸオン持続時間に設定された第２のオン持続時間タイマーの間の２次セルをＵＥによって監視することとを含む。
【００１０】
[0010]別の態様では、ワイヤレス通信の方法は、競合ベースの共有スペクトル上のサービング基地局からのチャネル使用信号をＵＥによって監視することと、構成されたオン持続時間タイマーに基づくオン持続時間の間に競合ベースの共有スペクトル上のダウンリンク制御チャネルを監視することを、チャネル使用信号を検出したことに応答して開始することと、１つまたは非アクティビティタイマーまたは構成されたオン持続時間タイマーの満了時にスリープモードに入ることとを含み、非アクティビティタイマーは、ダウンリンク制御チャネルを検出したことに応答して開始される。
【００１１】
[0011]本開示の追加の態様では、ワイヤレス通信用に構成された装置は、第１のアクティブ時間の持続時間の間に１次キャリアをＵＥによって監視するための手段と、ここにおいて、第１のアクティブ時間の持続時間は１つまたは複数のＤＲＸタイマーに少なくとも部分的に基づき、１次キャリアは非競合ベースのキャリアである、第２のアクティブ時間の持続時間の間に２次キャリアをＵＥによって監視するための手段と、ここにおいて、第２のアクティブ時間の持続時間は第１のアクティブ時間の持続時間に基づき、２次キャリアは競合ベースのキャリアである、物理レイヤチャネル上でＤＲＸコマンドを受信するための手段と、ＤＲＸコマンドに応答してＵＥにおいて２次キャリア上でスリープモードに入るための手段とを含む。
【００１２】
[0012]本開示の追加の態様では、ワイヤレス通信用に構成された装置は、非競合ベースのスペクトルを有する１次セルに対する第１のＤＲＸサイクル長さ、第１のＤＲＸオフセット、および第１のＤＲＸオン持続時間、ならびに競合ベースの共有スペクトルを有する２次セルに対する第２のＤＲＸサイクル長さ、第２のＤＲＸオフセット、および第２のＤＲＸオン持続時間を識別する構成信号をＵＥにおいて受信するための手段と、ここにおいて、第１のＤＲＸサイクル長さ、第１のＤＲＸオフセット、第２のＤＲＸサイクル長さ、および第２のＤＲＸオフセットはＵＥの第１のＤＲＸオン持続時間と２次ＤＲＸオン持続時間との間の少なくとも部分的重複を確実にする、第１のＤＲＸオン持続時間に設定された第１のオン持続時間タイマーの間の１次セルおよび第２のＤＲＸオン持続時間に設定された第２のオン持続時間タイマーの間の２次セルをＵＥによって監視するための手段とを含む。
【００１３】
[0013]本開示の追加の態様では、ワイヤレス通信用に構成された装置は、競合ベースの共有スペクトル上のサービング基地局からのチャネル使用信号をＵＥによって監視するための手段と、構成されたオン持続時間タイマーに基づくオン持続時間の間に競合ベースの共有スペクトル上のダウンリンク制御チャネルを監視することを、チャネル使用信号を検出したことに応答して開始するための手段と、１つまたは非アクティビティタイマーまたは構成されたオン持続時間タイマーの満了時にスリープモードに入るための手段とを含み、非アクティビティタイマーは、ダウンリンク制御チャネルを検出したことに応答して開始される。
【００１４】
[0014]本開示の追加の態様では、コンピュータプログラム製品は、プログラムコードを記録したコンピュータ可読媒体を有する。このプログラムコードは、第１のアクティブ時間の持続時間の間に１次キャリアをＵＥによって監視するためのコードと、ここにおいて、第１のアクティブ時間の持続時間は１つまたは複数のＤＲＸタイマーに少なくとも部分的に基づき、１次キャリアは非競合ベースのキャリアである、第２のアクティブ時間の持続時間の間に２次キャリアをＵＥによって監視するためのコードと、ここにおいて、第２のアクティブ時間の持続時間は第１のアクティブ時間の持続時間に基づき、２次キャリアは競合ベースのキャリアである、物理レイヤチャネル上でＤＲＸコマンドを受信するためのコードと、ＤＲＸコマンドに応答してＵＥにおいて２次キャリア上でスリープモードに入るためのコードとを含む。
【００１５】
[0015]本開示の追加の態様では、コンピュータプログラム製品は、プログラムコードを記録したコンピュータ可読媒体を有する。このプログラムコードは、非競合ベースのスペクトルを有する１次セルに対する第１のＤＲＸサイクル長さ、第１のＤＲＸオフセット、および第１のＤＲＸオン持続時間、ならびに競合ベースの共有スペクトルを有する２次セルに対する第２のＤＲＸサイクル長さ、第２のＤＲＸオフセット、および第２のＤＲＸオン持続時間を識別する構成信号をＵＥにおいて受信するためのコードと、ここにおいて、第１のＤＲＸサイクル長さ、第１のＤＲＸオフセット、第２のＤＲＸサイクル長さ、および第２のＤＲＸオフセットはＵＥの第１のＤＲＸオン持続時間と２次ＤＲＸオン持続時間との間の少なくとも部分的重複を確実にする、第１のＤＲＸオン持続時間に設定された第１のオン持続時間タイマーの間の１次セルおよび第２のＤＲＸオン持続時間に設定された第２のオン持続時間タイマーの間の２次セルをＵＥによって監視するためのコードとを含む。
【００１６】
[0016]本開示の追加の態様では、コンピュータプログラム製品は、プログラムコードを記録したコンピュータ可読媒体を有する。このプログラムコードは、競合ベースの共有スペクトル上のサービング基地局からのチャネル使用信号をＵＥによって監視するためのコードと、構成されたオン持続時間タイマーに基づくオン持続時間の間に競合ベースの共有スペクトル上のダウンリンク制御チャネルを監視することを、チャネル使用信号を検出したことに応答して開始するためのコードと、１つまたは非アクティビティタイマーまたは構成されたオン持続時間タイマーの満了時にスリープモードに入るためのコードとを含み、非アクティビティタイマーは、ダウンリンク制御チャネルを検出したことに応答して開始される。
【００１７】
[0017]本開示の追加の態様では、装置は、少なくとも１つのプロセッサと、プロセッサに結合されたメモリとを含む。プロセッサは、第１のアクティブ時間の持続時間の間に１次キャリアをＵＥによって監視することと、ここにおいて、第１のアクティブ時間の持続時間は１つまたは複数のＤＲＸタイマーに少なくとも部分的に基づき、１次キャリアは非競合ベースのキャリアである、第２のアクティブ時間の持続時間の間に２次キャリアをＵＥによって監視することと、ここにおいて、第２のアクティブ時間の持続時間は第１のアクティブ時間の持続時間に基づき、２次キャリアは競合ベースのキャリアである、物理レイヤチャネル上でＤＲＸコマンドを受信することと、ＤＲＸコマンドに応答してＵＥにおいて２次キャリア上でスリープモードに入ることとを行うように構成される。
【００１８】
[0018]本開示の追加の態様では、装置は、少なくとも１つのプロセッサと、プロセッサに結合されたメモリとを含む。本プロセッサは、非競合ベースのスペクトルを有する１次セルに対する第１のＤＲＸサイクル長さ、第１のＤＲＸオフセット、および第１のＤＲＸオン持続時間、ならびに競合ベースの共有スペクトルを有する２次セルに対する第２のＤＲＸサイクル長さ、第２のＤＲＸオフセット、および第２のＤＲＸオン持続時間を識別する構成信号をＵＥにおいて受信することと、ここにおいて、第１のＤＲＸサイクル長さ、第１のＤＲＸオフセット、第２のＤＲＸサイクル長さ、および第２のＤＲＸオフセットはＵＥの第１のＤＲＸオン持続時間と２次ＤＲＸオン持続時間との間の少なくとも部分的重複を確実にする、第１のＤＲＸオン持続時間に設定された第１のオン持続時間タイマーの間の１次セルおよび第２のＤＲＸオン持続時間に設定された第２のオン持続時間タイマーの間の２次セルをＵＥによって監視することとを行うように構成される。
【００１９】
[0019]本開示の追加の態様では、装置は、少なくとも１つのプロセッサと、プロセッサに結合されたメモリとを含む。本プロセッサは、競合ベースの共有スペクトル上のサービング基地局からのチャネル使用信号をＵＥによって監視することと、構成されたオン持続時間タイマーに基づくオン持続時間の間に競合ベースの共有スペクトル上のダウンリンク制御チャネルを監視することを、チャネル使用信号を検出したことに応答して開始することと、１つまたは非アクティビティタイマーまたは構成されたオン持続時間タイマーの満了時にスリープモードに入ることとを行うように構成され、非アクティビティタイマーは、ダウンリンク制御チャネルを検出したことに応答して開始される。
【００２０】
[0020]別の態様では、ワイヤレス通信の方法は、競合ベースの共有スペクトル上のサービング基地局からのチャネル使用信号をＵＥによって監視することと、チャネル使用信号が検出されたときに構成されたオン持続時間タイマーに基づくオン持続時間の間に競合ベースの共有スペクトル上のダウンリンク制御チャネルを監視することと、ダウンリンク制御チャネルを検出したことに応答して開始される非アクティビティタイマーまたは構成されたオン持続時間タイマーのいずれかの満了時にスリープモードに入ることとを含む。
【００２１】
[0021]別の態様では、ワイヤレス通信の方法は、１次キャリアから物理レイヤチャネル上の制御信号を受信することと、制御信号を使用して１次キャリアおよび２次キャリア用の１つまたは複数のタイマーを管理することとを含み、１つまたは複数のタイマーは、１次キャリアおよび２次キャリアのオン持続時間または１次キャリアもしくは２次キャリアのスリープモードへのエントリのいずれかと関連付けられ、２次キャリアは競合ベースのキャリアを使用して通信する。
【００２２】
[0022]本開示の追加の態様では、装置は、少なくとも１つのプロセッサと、プロセッサに結合されたメモリとを含む。本プロセッサは、競合ベースの共有スペクトル上のサービング基地局からのチャネル使用信号をＵＥによって監視することと、チャネル使用信号が検出されたときに構成されたオン持続時間タイマーに基づくオン持続時間の間に競合ベースの共有スペクトル上のダウンリンク制御チャネルを監視することと、ダウンリンク制御チャネルを検出したことに応答して開始される非アクティビティタイマーまたは構成されたオン持続時間タイマーのいずれかの満了時にスリープモードに入ることとを行うように構成される。
【００２３】
[0023]本開示の追加の態様では、装置は、少なくとも１つのプロセッサと、プロセッサに結合されたメモリとを含む。本プロセッサは、１次キャリアから物理レイヤチャネル上の制御信号を受信することと、制御信号を使用して１次キャリアおよび２次キャリア用の１つまたは複数のタイマーを管理することとを行うように構成され、１つまたは複数のタイマーは、１次キャリアおよび２次キャリアのオン持続時間または１次キャリアもしくは２次キャリアのスリープモードへのエントリのいずれかと関連付けられ、２次キャリアは競合ベースのキャリアを使用して通信する。
【００２４】
[0024]上記は、以下の発明を実施するための形態がより良く理解され得るように、本開示による例の特徴および技術的利点についてやや広く概説した。以下で、追加の特徴および利点が説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明のために提供されるものであり、特許請求の範囲の限定の定義として提供されるものではない。
【００２５】
[0025]以下の図面を参照することにより、本開示の本質および利点のより一層の理解が実現され得る。添付の図では、同様の構成要素または特徴は、同じ参照ラベルを有する場合がある。さらに、同じタイプの様々な構成要素は、参照ラベルの後に、ダッシュと、同様の構成要素の間を区別する第２のラベルとを続けることによって区別される場合がある。第１の参照ラベルだけが本明細書において使用される場合、その説明は、第２の参照ラベルにかかわらず、同じ第１の参照ラベルを有する同様の構成要素のうちのいずれにも適用可能である。
【図面の簡単な説明】
【００２６】
【図１】[0026]様々な実施形態による、ワイヤレス通信システムの一例を示す図。
【図２Ａ】[0027]様々な実施形態による、無認可スペクトルの中でＬＴＥを使用するための展開シナリオの例を示す図。
【図２Ｂ】[0028]様々な実施形態による、無認可スペクトルの中でＬＴＥを使用するための展開シナリオの別の例を示す図。
【図３】[0029]様々な実施形態による、認可および無認可スペクトル中でＬＴＥをコンカレントに使用するときのキャリアアグリゲーションの一例を示す図。
【図４】[0030]本開示の一態様に従って構成される、基地局／ｅＮＢおよびＵＥの設計を概念的に示すブロック図。
【図５】[0031]本開示の様々な態様による、競合ベースの共有無線周波数スペクトル帯域にアクセスするために競合するとき、送信装置によって実行される拡張ＣＣＡ（ＥＣＣＡ）手順の一例を示す図。
【図６】[0032]図１の複数の基地局／ｅＮＢのうちの１つであり得る基地局／ｅＮＢおよび複数のＵＥのうちの１つであり得るＵＥの設計のブロック図。
【図７】[0033]基地局によってサービスされるＵＥを示すブロック図。
【図８】[0034]基地局からのＰＣｅｌｌおよび基地局からのＳＣｅｌｌ上の通信に関与するＵＥを示すブロック図。
【図９】[0035]本開示の一態様を実装するために実行される例示的なブロックを示すブロック図。
【図１０】[0036]本開示の一態様に従って構成されたＵＥと基地局とを示すブロック図。
【図１１】[0037]本開示の一態様を実施するために実行される例示的なブロックを示すブロック図。
【図１２】[0038]本開示の一態様に従って構成されたＵＥおよび基地局を示すブロック図。
【図１３】[0039]本開示の一態様を実装するために実行される例示的なブロックを示すブロック図。
【図１４】[0040]本開示の一態様に従って構成されたＵＥおよび基地局を示すブロック図。
【図１５】[0041]本開示の一態様を実施するために実行される例示的なブロックを示すブロック図。
【図１６】[0042]本開示の一態様に従って構成されたＵＥおよび基地局を示すブロック図。
【発明を実施するための形態】
【００２７】
[0043]添付の図面に関して以下に記載する発明を実施するための形態は、様々な構成を説明するものであり、本開示の範囲を限定するものではない。むしろ、発明を実施するための形態は、本発明の主題の完全な理解を与えるための具体的な詳細を含む。これらの具体的な詳細は、あらゆる場合において必要とされるとは限らないこと、および場合によっては、よく知られている構造および構成要素は、提示を明快にするためにブロック図の形式で示されることが、当業者には明らかであろう。
【００２８】
[0044]無認可無線周波数スペクトル帯域がワイヤレス通信システム上での競合ベースの通信の少なくとも一部分のために使用される技法について説明する。いくつかの例では、競合ベースの共有無線周波数スペクトル帯域は、ロングタームエボリューション（ＬＴＥ）通信またはＬＴＥアドバンスト（ＬＴＥ−Ａ）通信のために使用され得る。競合ベースの無線周波数スペクトル帯域は、非競合認可無線周波数スペクトル帯域と組み合わせて、またはそれとは無関係に使用され得る。いくつかの例では、競合ベースの無線周波数スペクトル帯域は、無線周波数スペクトル帯域が、少なくとも部分的に、ＷｉＦｉ（登録商標）使用などの無認可使用のために利用可能であるので、デバイスもまたアクセスを求めて競合する必要があることがある無線周波数スペクトル帯域であり得る。
【００２９】
[0045]認可無線周波数スペクトル帯域を使用するセルラーネットワークにおけるデータトラフィックの増加とともに、無認可帯域内などの競合ベースの共有無線周波数スペクトル帯域への少なくとも一部のデータトラフィックのオフロードは、セルラー事業者（たとえば、公衆陸上移動体ネットワーク（ＰＬＭＮ）またはＬＴＥ／ＬＴＥ−Ａネットワークなどのセルラーネットワークを定義する基地局の協調させられたセットの事業者）にデータ送信容量の増強のための機会を与え得る。上述のように、無認可スペクトルなどの競合ベースの共有無線周波数スペクトル帯域上で通信する前に、デバイスは、共有無線周波数スペクトル帯域へのアクセスを獲得するためにＬＢＴ手順を実行し得る。そのようなＬＢＴ手順は、無認可無線周波数スペクトル帯域のチャネルが利用可能であるかどうかを決定するために、ＣＣＡ手順（または拡張ＣＣＡ手順）を実行することを含み得る。競合ベースの無線周波数スペクトル帯域のチャネルが利用可能であると決定されたとき、チャネル使用信号（たとえば、ＣＵＢＳ）が、チャネルを予約するために送信され得る。チャネルが利用可能ではないと決定されると、ＣＣＡ手順（または、拡張ＣＣＡ手順）が、もっと後の時間においてチャネルに対して再び実行され得る。
【００３０】
[0046]基地局および／またはＵＥが競合ベースの共有無線周波数スペクトル帯域上で送信可能な複数のアンテナポートを含むとき、異なるアンテナポートからの送信は、送信された信号間の相関によって互に干渉する場合がある。競合ベースの共有無線周波数スペクトル帯域のチャネルを予約するために使用されるチャネル使用信号の場合、送信された信号間の相関による干渉の低減は、チャネルを予約するために良好な検出能力を与えるため、ならびにチャネルを不用意に予約することになる誤検出（false detection）を防止するため、および他のデバイスがそのチャネルを使用するのを防止するために重要であり得る。異なるアンテナからの信号の相互相関または単一のアンテナからの信号の自己相関によるそのような干渉を低減するために、基地局またはＵＥは、チャネル使用信号のシーケンスを送信するアンテナポートと関連付けられたアンテナポート識別子に少なくとも部分的に基づいてシーケンスを生成し得る。このようにして、チャネル使用信号の相関が低減され、それによって信号送信の検出能力を改善し、競合ベースの共有無線周波数スペクトル帯域のチャネルのより効果的でより正確な予約をもたらすことができる。
【００３１】
[0047]言い換えれば、無認可無線周波数スペクトル帯域のチャネルを予約するために使用されるチャネル使用信号の場合、チャネル使用信号は、チャネル予約が、共有無線周波数スペクトル帯域へのアクセスを試行している他のデバイスによって容易に検出され得るように、誤認警報（false alarms）を低減するために良好な検出性を伴って構成されるべきである。したがって、誤認警報の低い確率を伴って容易に検出可能であるために、チャネル使用信号シーケンスは、それ自体との良好な自己相関特性と近隣基地局からのシーケンスとの良好な相互相関特性とを有するべきである。たとえば、１次同期信号（ＰＳＳ）、２次同期信号（ＳＳＳ）および／またはチャネル状態情報基準信号（ＣＳＩ−ＲＳ）は、競合ベースの共有無線周波数スペクトル帯域内の異なる基地局間の良好な相互相関特性または良好な自己相関特性を有さない場合がある。したがって、ＰＳＳ、ＳＳＳおよびＣＳＩ−ＲＳは容易に検出可能ではなく、そのような信号がチャネル使用信号として使用された場合は誤認警報の数を増加させて検出レートを低下させることがあり、送信機がチャネル使用信号を誤って検出したときに衝突または遅延送信を増加させることがある。したがって、チャネル使用信号シーケンスは、良好な自己相関と相互相関特性をもたらすためにアンテナポート識別子に少なくとも部分的に基づいて構成されるべきである。
【００３２】
[0048]以下の説明は、例を与えるものであり、特許請求の範囲に記載される範囲、適用性、または例を限定するものではない。本開示の範囲から逸脱することなく、説明される要素の機能および構成において変更が行われ得る。様々な例は、適宜に、様々な手順または構成要素を、省略、置換、または追加し得る。たとえば、説明される方法は、説明される順序とは異なる順序で実行され得、様々なステップが追加され、省略され、または組み合わされ得る。また、いくつかの例に関して説明される特徴は、他の例では組み合わされ得る。
【００３３】
[0049]図１は、本開示の様々な態様による、例示的なワイヤレス通信システム１００の図である。ワイヤレス通信システム１００は、基地局１０５と、ＵＥ１１５と、コアネットワーク１３０とを含み得る。コアネットワーク１３０は、ユーザ認証、アクセス許可、トラッキング、インターネットプロトコル（ＩＰ）接続性、および他のアクセス機能、ルーティング機能、またはモビリティ機能を提供し得る。基地局１０５は、バックホールリンク１３２（たとえば、Ｓ１など）を通してコアネットワーク１３０とインターフェースし得、ＵＥ１１５との通信のための無線構成およびスケジューリングを実行し得るか、または基地局コントローラ（図示されず）の制御下で動作し得る。様々な例では、基地局１０５は、ワイヤードまたはワイヤレス通信リンクであり得るバックホールリンク１３４（たとえば、Ｘ２など）を介して他の基地局１０５と直接または間接的に（たとえば、コアネットワーク１３０を通じて）通信し得る。
【００３４】
[0050]基地局１０５は、１つまたは複数の基地局アンテナを介してＵＥ１１５とワイヤレスに通信することができる。基地局１０５サイトのそれぞれは、それぞれの地理的カバレージエリア１１０の通信カバレージを提供することができる。いくつかの例では、基地局１０５は、基地トランシーバ局、無線基地局、アクセスポイント、無線トランシーバ、ＮｏｄｅＢ、ｅＮｏｄｅＢ（ｅＮＢ）、Ｈｏｍｅ  ＮｏｄｅＢ、Ｈｏｍｅ  ｅＮｏｄｅＢ、または何らかの他の好適な用語で呼ばれることがある。基地局１０５のための地理的カバレージエリア１１０は、カバレージエリアの一部分を構成するセクタ（図示せず）に分割され得る。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００３５】
[0051]いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを提供する異種ＬＴＥ／ＬＴＥ−Ａネットワークであり得る。たとえば、各ｅＮＢまたは基地局１０５は、マクロセル、スモールセル、または他のタイプのセルに通信カバレージを提供し得る。「セル」という用語は、状況に応じて、基地局、基地局に関連付けられたキャリアもしくはコンポーネントキャリア、またはキャリアもしくは基地局のカバレージエリア（たとえば、セクタなど）を記述するために使用され得る３ＧＰＰ（登録商標）用語である。
【００３６】
[0052]マクロセルは、比較的大きい地理的エリア（たとえば、半径数キロメートル）をカバーし得、ネットワーク事業者のサービスに加入しているＵＥによる無制限アクセスを可能にし得る。スモールセルは、マクロセルと比較して、同じまたは異なる（たとえば、認可、無認可などの）無線周波数スペクトル帯域内でマクロセルとして動作し得る低電力基地局であり得る。スモールセルは、様々な例によると、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルも、比較的小さい地理的エリア（たとえば、自宅）をカバーし得、フェムトセルとの関連付けを有するＵＥ（たとえば、限定加入者グループ（ＣＳＧ：closed subscriber group）の中のＵＥ、自宅の中のユーザ向けのＵＥなど）による制限付きアクセスを提供し得る。マクロセル用のｅＮＢは、マクロｅＮＢと呼ばれることがある。スモールセル用のｅＮＢは、スモールセルｅＮＢ、ピコｅＮＢ、フェムトｅＮＢ、またはホームｅＮＢと呼ばれることがある。ｅＮＢは、１つまたは複数（たとえば、２つ、３つ、４つなど）のセル（たとえば、コンポーネントキャリア）をサポートし得る。
【００３７】
[0053]ワイヤレス通信システム１００は、同期動作または非同期動作をサポートしてもよい。同期動作の場合、基地局は同様のフレームタイミングを有し得、異なる基地局からの送信は時間的にほぼ整合され得る。非同期動作の場合、基地局は、異なるフレームタイミングを有し得、異なる基地局からの送信は、時間的に整合されない場合がある。本明細書で説明する技法は、同期動作または非同期動作のいずれかのために使われ得る。
【００３８】
[0054]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ）レイヤにおける通信はＩＰベースであり得る。無線リンク制御（ＲＬＣ）レイヤが、論理チャネルを介して通信するためにパケットセグメンテーションおよびリアセンブリを実施し得る。媒体アクセス制御（ＭＡＣ）レイヤが、優先度処理と、トランスポートチャネルへの論理チャネルの多重化とを実施し得る。ＭＡＣレイヤはまた、ＭＡＣレイヤにおける再送信を行ってリンク効率を改善するために、ハイブリッドＡＲＱ（ＨＡＲＱ）を使用し得る。制御プレーンでは、無線リソース制御（ＲＲＣ）プロトコルレイヤは、ユーザプレーンデータのために無線ベアラをサポートする、ＵＥ１１５と基地局１０５またはコアネットワーク１３０との間のＲＲＣ接続の確立と、構成と、保守とを行い得る。物理（ＰＨＹ）レイヤにおいて、トランスポートチャネルは、物理チャネルにマッピングされ得る。
【００３９】
[0055]ＵＥ１１５は、ワイヤレス通信システム１００全体にわたって分散されてよく、各ＵＥ１１５は、固定式または移動式であってよい。ＵＥ１１５はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含み得るか、あるいは当業者によってそのように呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００４０】
[0056]ワイヤレス通信システム１００に示された通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。いくつかの例では、ＵＬ送信はアップリンク制御情報の送信を含み得、アップリンク制御情報はアップリンク制御チャネル（たとえば、物理アップリンク制御チャネル（ＰＵＣＣＨ：physical uplink control channel）または拡張ＰＵＣＣＨ（ｅＰＵＣＣＨ））を介して送信され得る。アップリンク制御情報は、たとえば、ダウンリンク送信の肯定応答もしくは否定応答、またはチャネル状態情報を含み得る。アップリンク送信はデータの送信をも含み得、データは、物理アップリンク共有チャネル（ＰＵＳＣＨ）または拡張ＰＵＳＣＨ（ｅＰＵＳＣＨ）を介して送信され得る。また、アップリンク送信は、サウンディング基準信号（ＳＲＳ：sounding reference signal）または拡張ＳＲＳ（ｅＳＲＳ）、（たとえば、デュアル接続性モード、または図２Ａおよび図２Ｂを参照しながら説明されるスタンドアロンモードでの）物理ランダムアクセスチャネル（ＰＲＡＣＨ：physical random access channel）または拡張ＰＲＡＣＨ（ｅＰＲＡＣＨ）、あるいは（たとえば、図２Ａおよび図２Ｂを参照しながら説明されるスタンドアロンモードでの）スケジューリング要求（ＳＲ：scheduling request）または拡張ＳＲ（ｅＳＲ）の送信を含み得る。ＰＵＣＣＨ、ＰＵＳＣＨ、ＰＲＡＣＨ、ＳＲＳ、またはＳＲへの本開示における言及は、それぞれのｅＰＵＣＣＨ、ｅＰＵＳＣＨ、ｅＰＲＡＣＨ、ｅＳＲＳ、またはｅＳＲへの言及を本質的に含むと推定される。
【００４１】
[0057]いくつかの例では、各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ）動作を使用して（たとえば、対スペクトルリソースを使用して）、または時間領域複信（ＴＤＤ）動作を使用して（たとえば、不対スペクトルリソースを使用して）双方向通信を送信し得る。ＦＤＤ動作用のフレーム構造（たとえば、フレーム構造タイプ１）およびＴＤＤ動作用のフレーム構造（たとえば、フレーム構造タイプ２）が定義され得る。
【００４２】
[0058]ワイヤレス通信システム１００のいくつかの態様では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００４３】
[0059]ワイヤレス通信システム１００は、複数のセルまたはキャリア上での動作、すなわち、キャリアアグリゲーション（ＣＡ：carrier aggregation）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書で互換的に使用され得る。ＵＥ１１５は、キャリアアグリゲーションのために、複数のダウンリンクＣＣおよび１つまたは複数のアップリンクＣＣを用いて構成され得る。キャリアアグリゲーションは、ＦＤＤコンポーネントキャリアとＴＤＤコンポーネントキャリアの両方を用いて使用され得る。
【００４４】
[0060]ワイヤレス通信システム１００は、同じくまたは代替的に、非競合認可無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、送信装置がそれのためにアクセスを求めて競合しないことがある、無線周波数スペクトル帯域）または競合ベースの共有無線周波数スペクトル帯域（たとえば、無線周波数スペクトル帯域が、ＷｉＦｉ使用など、無認可使用のために利用可能であるので、送信装置がそれのためにアクセスを求めて競合する必要があり得る、無認可無線周波数スペクトル帯域）上での動作をサポートし得る。競合ベースの共有無線周波数スペクトル帯域へのアクセスの争いに勝つと、送信装置（たとえば、基地局１０５またはＵＥ１１５）は、無認可無線周波数スペクトル帯域上で１つまたは複数のチャネル使用信号（たとえば、１つまたは複数のＣＵＢＳ）を送信し得る。チャネル使用信号は、検出可能なエネルギーを無認可無線周波数スペクトル帯域上に供給することによって、無認可無線周波数スペクトルを予約するように働き得る。チャネル使用信号はまた、送信装置および／または送信アンテナを識別するように働き、あるいは送信装置と受信装置とを同期させるように働き得る。いくつかの例では、チャネル使用信号送信は、シンボル期間境界（たとえば、ＯＦＤＭシンボル期間境界）において開始し得る。他の例では、ＣＵＢＳ送信はシンボル期間境界の間に開始し得る。
【００４５】
[0061]図１に示されている構成要素の数および構成は、一例として与えられている。実際には、ワイヤレス通信システム１００は、図１に示されているもの以外に、追加のデバイス、より少数のデバイス、異なるデバイス、または別様に構成されたデバイスを含み得る。追加または代替として、ワイヤレス通信システム１００のデバイスのセット（たとえば、１つまたは複数のデバイス）は、ワイヤレス通信システム１００のデバイスの別のセットによって実行されるものとして説明される１つまたは複数の機能を実行し得る。
【００４６】
[0062]次に図２Ａを参照すると、図２００は、補足ダウンリンクモード（たとえば、ライセンス補助アクセス（ＬＡＡ）モード）の例と、競合ベースの共有スペクトルに拡張されたＬＴＥ／ＬＴＥ−ＡをサポートするＬＴＥネットワークのためのキャリアアグリゲーションモードの例とを示している。図２００は、図１のシステム１００の部分の一例とすることができる。その上、基地局１０５−ａは図１の基地局１０５の一例であり得、ＵＥ１１５−ａは図１のＵＥ１１５の例であり得る。
【００４７】
[0063]図２００中の補足ダウンリンクモード（たとえば、ＬＡＡモード）の例では、基地局１０５−ａは、ダウンリンク２０５を使用してＵＥ１１５−ａにＯＦＤＭＡ通信信号を送信し得る。ダウンリンク２０５は無認可スペクトル中の周波数Ｆ１に関連付けられる。基地局１０５−ａは、ＯＦＤＭＡ通信信号を同じＵＥ１１５−ａに双方向リンク２１０を使用して送信し得、ＳＣ−ＦＤＭＡ通信信号をそのＵＥ１１５−ａから双方向リンク２１０を使用して受信し得る。双方向リンク２１０は認可スペクトル中の周波数Ｆ４に関連付けられる。無認可スペクトル中のダウンリンク２０５および認可スペクトル中の双方向リンク２１０は、コンカレントに動作し得る。ダウンリンク２０５は、基地局１０５−ａに対してダウンリンク容量オフロードを提供し得る。いくつかの実施形態では、ダウンリンク２０５は、ユニキャストサービス（たとえば、１つのＵＥにアドレス指定される）サービスまたはマルチキャストサービス（たとえば、いくつかのＵＥにアドレス指定される）に使用され得る。このシナリオは、認可スペクトルを使用しトラフィックおよび／またはシグナリングの混雑のうちの一部を緩和する必要がある、任意のサービスプロバイダ（たとえば、従来のモバイルネットワークオペレータすなわちＭＮＯ）に対して生じ得る。
【００４８】
[0064]図２００におけるキャリアアグリゲーションモードの１つの例では、基地局１０５−ａは、ＯＦＤＭＡ通信信号をＵＥ１１５−ａへ双方向リンク２１５を使用して送信し得、ＳＣ−ＦＤＭＡ通信信号を同じＵＥ１１５−ａから双方向リンク２１５を使用して受信し得る。双方向リンク２１５は無認可スペクトル中の周波数Ｆ１に関連付けられる。基地局１０５−ａはまた、双方向リンク２２０を使用して同じＵＥ１１５−ａにＯＦＤＭＡ通信信号を送信し得、双方向リンク２２０を使用して同じＵＥ１１５−ａからＳＣ−ＦＤＭＡ通信信号を受信し得る。双方向リンク２２０は認可スペクトル中の周波数Ｆ２に関連付けられる。双方向リンク２１５は、基地局１０５−ａに対してダウンリンクおよびアップリンクの容量オフロードを提供し得る。上記で説明した補助ダウンリンク（たとえば、ＬＡＡモード）のように、このシナリオは、認可スペクトルを使用しトラフィックおよび／またはシグナリングの混雑のうちの一部を緩和する必要がある、任意のサービスプロバイダ（たとえば、ＭＮＯ）に対して生じる場合がある。
【００４９】
[0065]図２００中のキャリアアグリゲーションモードの別の例では、基地局１０５−ａは、双方向リンク２２５を使用してＵＥ１１５−ａにＯＦＤＭＡ通信信号を送信し得、双方向リンク２２５を使用して同じＵＥ１１５−ａからＳＣ−ＦＤＭＡ通信信号を受信し得る。双方向リンク２２５は無認可スペクトル中の周波数Ｆ３に関連付けられる。基地局１０５−ａはまた、双方向リンク２３０を使用して同じＵＥ１１５−ａにＯＦＤＭＡ通信信号を送信し得、双方向リンク２３０を使用して同じＵＥ１１５−ａからＳＣ−ＦＤＭＡ通信信号を受信し得る。双方向リンク２３０は認可スペクトル中の周波数Ｆ２に関連付けられる。双方向リンク２２５は、基地局１０５−ａに対してダウンリンクおよびアップリンクの容量オフロードを提供し得る。本例および上記で提供された例は、例示を目的として提示されており、容量オフロードのために競合ベースの共有スペクトルを用いるＬＴＥ／ＬＴＥ−Ａと用いないＬＴＥ／ＬＴＥ−Ａとを組み合わせる他の同様のモードの動作または展開のシナリオがあり得る。
【００５０】
[0066]上記で説明されたように、競合ベースのスペクトルに拡張されたＬＴＥ／ＬＴＥ−Ａを使用することによって提供される容量オフロードから恩恵を受け得る一般的なサービスプロバイダは、ＬＴＥスペクトルを用いる旧来のＭＮＯである。これらのサービスプロバイダの場合、動作構成は、非競合スペクトル上のＬＴＥ１次コンポーネントキャリア（ＰＣＣ）と競合ベースのスペクトル上のＬＴＥ２次コンポーネントキャリア（ＳＣＣ）とを使用するブートストラップモード（たとえば、補足ダウンリンク（たとえば、ＬＡＡモード）、キャリアアグリゲーション）を含み得る。
【００５１】
[0067]補助ダウンリンクモードにおいて、競合ベースのスペクトルに拡張されたＬＴＥ／ＬＴＥ−Ａに対する制御は、ＬＴＥアップリンク（たとえば、双方向リンク２１０のアップリンク部）を介して移送され得る。ダウンリンク容量オフロードを提供する理由の１つは、ダウンリンク消費によってデータ需要が大幅に高められるからである。その上、このモードでは、ＵＥは無認可スペクトルの中で送信されないので、規制影響（regulatory impact）がない場合がある。ＵＥ上で送信前受信チェック（ＬＢＴ：listen-before-talk）またはキャリアセンス多重接続（ＣＳＭＡ：carrier sense multiple access）要件を実施する必要はない。しかしながら、ＬＢＴは、たとえば、周期的（たとえば、１０ミリ秒ごと）なクリアチャネルアセスメント（ＣＣＡ）および／または無線フレーム境界に揃えられたｇｒａｂ−ａｎｄ−ｒｅｌｉｎｑｕｉｓｈメカニズムを使用することによって、基地局（たとえば、ｅＮＢ）上で実施され得る。
【００５２】
[0068]キャリアアグリゲーションモードでは、ＬＴＥ（たとえば、双方向リンク２１０、２２０、および２３０）においてデータおよび制御が通信され得、一方で、競合ベースの共有スペクトルに拡張されたＬＴＥ／ＬＴＥ−Ａ（たとえば、双方向リンク２１５および２２５）においてデータが通信され得る。競合ベースの共有スペクトルに拡張されたＬＴＥ／ＬＴＥ−Ａを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションに該当し得る。
【００５３】
[0069]図２Ｂは、競合ベースの共有スペクトルに拡張されたＬＴＥ／ＬＴＥ−Ａに対するスタンドアロンモードの一例を示す図２００−ａを示す。図２００−ａは図１のシステム１００の部分の一例であり得る。その上、基地局１０５−ｂは、図１の基地局１０５および図２Ａの基地局１０５−ａの一例であり得、一方、ＵＥ１１５−ｂは、図１のＵＥ１１５および図２ＡのＵＥ１１５−ａの一例であり得る。
【００５４】
[0070]図２００−ａにおけるスタンドアロンモードの一例では、基地局１０５−ｂは、ＯＦＤＭＡ通信信号をＵＥ１１５−ｂへ双方向リンク２４０を使用して送信し得、ＳＣ−ＦＤＭＡ通信信号をＵＥ１１５−ｂから双方向リンク２４０を使用して受信し得る。双方向リンク２４０は、図２Ａに関して上記で説明された競合ベースの共有スペクトル中の周波数Ｆ３に関連付けられる。スタンドアロンモードは、スタジアム内アクセス（たとえば、ユニキャスト、マルチキャスト）などの、非従来型のワイヤレスアクセスシナリオにおいて使用され得る。この動作モードの典型的なサービスプロバイダの一例は、競技場の所有者、ケーブルテレビ会社、イベント主催者、ホテル、企業、および免許帯域を有しない大企業であり得る。これらのサービスプロバイダの場合、スタンドアロンモードのための動作構成は競合ベースのスペクトル上のＰＣＣを使用し得る。その上、ＬＢＴは、基地局とＵＥの両方で実施され得る。
【００５５】
[0071]いくつかの例では、図１、図２Ａもしくは図２Ｂを参照しながら説明された基地局１０５、もしくは１０５−ａのうちの１つ、または図１、図２Ａもしくは図２Ｂを参照しながら説明されたＵＥ１１５、１１５−ａ、もしくは１１５−ｂのうちの１つのような送信装置は、競合ベースの共有無線周波数スペクトル帯域のチャネルへの（たとえば、無認可無線周波数スペクトル帯域の物理チャネルへの）アクセスを得るためにゲーティング間隔を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期し得る。ゲーティング間隔は、欧州電気通信標準化機構（ＥＴＳＩ：European Telecommunications Standards Institute）（ＥＮ３０１  ８９３）において指定されているＬＢＴプロトコルに少なくとも部分的に基づくＬＢＴプロトコルなど、競合ベースプロトコルの適用を定義し得る。ＬＢＴプロトコルの適用を定義するゲーティング間隔を使用するとき、ゲーティング間隔は、送信装置がクリアチャネルアセスメント（ＣＣＡ）手順などの競合手順（たとえば、ＬＢＴ手順）をいつ実行する必要があるかを示し得る。ＣＣＡ手順の結果は、競合ベースの共有無線周波数スペクトル帯域のチャネルが（ＬＢＴ無線フレームとも呼ばれる）ゲーティング間隔のために利用可能であるか使用中であるかを送信装置に示し得る。チャネルが、対応するＬＢＴ無線フレームに利用可能である（たとえば、使用のために「空いている」）ことをＣＣＡ手順が示すとき、送信装置は、ＬＢＴ無線フレームの一部または全部の間に競合ベースの共有無線周波数スペクトル帯域のチャネルを予約または使用し得る。チャネルが利用可能ではないこと（たとえば、チャネルが別の送信装置によって使用中であるか、または予約されていること）をＣＣＡ手順が示すとき、送信装置は、ＬＢＴ無線フレームの間にチャネルを使用することを妨げられ得る。
【００５６】
[0072]図２Ａおよび図２Ｂに示されているコンポーネントの数および配置は、例として与えられている。実際には、ワイヤレス通信システム２００は、追加のデバイス、より少数のデバイス、異なるデバイス、または図２Ａおよび図２Ｂに示されているものとは異なるように配置されたデバイスを含み得る。
【００５７】
[0073]図３は、本開示の様々な態様による、無認可無線周波数スペクトル帯域を介したワイヤレス通信３１０の例３００の一例である。いくつかの例では、ＬＢＴ無線フレーム３１５は、１０ミリ秒の持続時間を有し得、いくつかのダウンリンク（Ｄ）サブフレーム３２０、いくつかのアップリンク（Ｕ）サブフレーム３２５、ならびに２つのタイプの特殊サブフレーム、すなわち、Ｓサブフレーム３３０、およびＳ’サブフレーム３３５を含み得る。Ｓサブフレーム３３０は、ダウンリンクサブフレーム３２０とアップリンクサブフレーム３２５との間の遷移をもたらし得、Ｓ’サブフレーム３３５は、アップリンクサブフレーム３２５とダウンリンクサブフレーム３２０との間の遷移と、いくつかの例では、ＬＢＴ無線フレーム間の遷移とをもたらし得る。
【００５８】
[0074]Ｓ’サブフレーム３３５の間に、図１または図２を参照しながら説明された基地局１０５、２０５、または２０５−ａのうちの１つまたは複数のような、１つまたは複数の基地局によって、ワイヤレス通信３１０が生じる競合ベースの共有無線周波数スペクトル帯域のチャネルをある時間期間の間予約するために、正常なダウンリンククリアチャネルアセスメント（ＣＣＡ）手順３４５が実行され得る。基地局によるダウンリンクＣＣＡ手順３４５の成功の後、基地局は、基地局がチャネルを予約したという指示を他の基地局または装置（たとえば、ＵＥ、ＷｉＦｉアクセスポイントなど）に提供するために、チャネル使用ビーコン信号（ＣＵＢＳ）（たとえば、ダウンリンクＣＵＢＳ（Ｄ−ＣＵＢＳ３５０））などのプリアンブルを送信し得る。いくつかの例では、Ｄ−ＣＵＢＳ３５０は、インターリーブされた複数のリソースブロックを使用して送信され得る。この方式でＤ−ＣＵＢＳ３５０を送信することは、Ｄ−ＣＵＢＳ３５０が、競合ベースの共有無線周波数スペクトル帯域の利用可能な周波数帯域幅の少なくともある割合を占有し、１つまたは複数の規制上の要件（たとえば、無認可無線周波数スペクトル帯域を通じた送信が利用可能な周波数帯域幅の少なくとも８０％を占有するという要件）を満たすことを可能にし得る。Ｄ−ＣＵＢＳ３５０は、いくつかの例では、ＬＴＥ／ＬＴＥ−Ａセル固有基準信号（ＣＲＳ）またはチャネル状態情報基準信号（ＣＳＩ−ＲＳ）の形態と同様の形態をとり得る。ダウンリンクＣＣＡ手順３４５が失敗すると、Ｄ−ＣＵＢＳ３５０が送信されないことがある。
【００５９】
[0075]Ｓ’サブフレーム３３５は、複数のＯＦＤＭシンボル期間（たとえば、１４個のＯＦＤＭシンボル期間）を含み得る。Ｓ’サブフレーム３３５の第１の部分は、短縮されたアップリンク（Ｕ）期間３４０として、いくつかのＵＥによって使用され得る。Ｓ’サブフレーム３３５の第２の部分は、ダウンリンクＣＣＡ手順３４５のために使われ得る。Ｓ’サブフレーム３３５の第３の部分は、Ｄ−ＣＵＢＳ３５０を送信するために競合ベースの共有無線周波数スペクトル帯域のチャネルへのアクセスに対する競合に成功した１つまたは複数の基地局によって使用され得る。
【００６０】
[0076]Ｓサブフレーム３３０中に、アップリンクＣＣＡ手順３６５が、ある時間期間の間、ワイヤレス通信３１０が発生するチャネルを予約するために、図１、図２Ａまたは図２Ｂを参照しながら上記で説明したＵＥ１１５、２１５、２１５−ａ、２１５−ｂ、または２１５−ｃのうちの１つまたは複数など、１つまたは複数のＵＥによって実行され得る。ＵＥによる正常なアップリンクＣＣＡ手順３６５の後、ＵＥは、ＵＥがチャネルを予約したという指示を他のＵＥまたは装置（たとえば、基地局、ＷｉＦｉアクセスポイントなど）に提供するために、アップリンクＣＵＢＳ（Ｕ−ＣＵＢＳ３７０）などのプリアンブルを送信し得る。いくつかの例では、Ｕ−ＣＵＢＳ３７０は、インターリーブされた複数のリソースブロックを使用して送信され得る。この方式でＵ−ＣＵＢＳ３７０を送信することは、Ｕ−ＣＵＢＳ３７０が、競合ベースの無線周波数スペクトル帯域の利用可能な周波数帯域幅の少なくともある割合を占有し、１つまたは複数の規制上の要件（たとえば、競合ベースの無線周波数スペクトル帯域を通じた送信が利用可能な周波数帯域幅の少なくとも８０％を占有するという要件）を満たすことを可能にし得る。Ｕ−ＣＵＢＳ３７０は、いくつかの例では、ＬＴＥ／ＬＴＥ−Ａ  ＣＲＳまたはＣＳＩ−ＲＳの形態と同様の形態をとり得る。アップリンクＣＣＡ手順３６５が失敗すると、Ｕ−ＣＵＢＳ３７０が送信されないことがある。
【００６１】
[0077]Ｓサブフレーム３３０は、複数のＯＦＤＭシンボル期間（たとえば、１４個のＯＦＤＭシンボル期間）を含み得る。Ｓサブフレーム３３０の第１の部分は、短縮されたダウンリンク（Ｄ）期間３５５としていくつかの基地局によって使用され得る。Ｓサブフレーム３３０の第２の部分は、ガード期間（ＧＰ）３６０として使用され得る。Ｓサブフレーム３３０の第３の部分は、アップリンクＣＣＡ手順３６５のために使用され得る。Ｓサブフレーム３３０の第４の部分は、アップリンクパイロットタイムスロット（ＵｐＰＴＳ）としてまたはＵ−ＣＵＢＳ３７０を送信するために競合ベースの無線周波数スペクトル帯域のチャネルへのアクセスに対する競合に成功した１つまたは複数のＵＥによって使用され得る。
【００６２】
[0078]いくつかの例では、ダウンリンクＣＣＡ手順３４５またはアップリンクＣＣＡ手順３６５は、単一のＣＣＡ手順の実行を含み得る。他の例では、ダウンリンクＣＣＡ手順３４５またはアップリンクＣＣＡ手順３６５は、拡張されたＣＣＡ手順の実行を含み得る。拡張ＣＣＡ手順は、ランダムな数のＣＣＡ手順を含み得、いくつかの例では、複数のＣＣＡ手順を含み得る。
【００６３】
[0079]上で示されたように、図３は例として提供される。他の例が可能であり、他の例は図３に関連して説明されたものとは異なることがある。
【００６４】
[0080]図４は、本開示の様々な態様による、競合ベースの共有無線周波数スペクトル帯域にアクセスするために競合するとき、送信装置によって実行されるＣＣＡ手順４１５の一例４００の図である。いくつかの例では、ＣＣＡ手順４１５は、図３を参照しながら説明したダウンリンクＣＣＡ手順３４５またはアップリンクＣＣＡ手順３６５の一例であり得る。ＣＣＡ手順４１５は固定持続時間を有し得る。いくつかの例では、ＣＣＡ手順４１５は、ＬＢＴフレームベース機器（ＬＢＴ−ＦＢＥ）プロトコル（たとえば、ＥＮ３０１  ８９３によって説明されるＬＢＴ−ＦＢＥプロトコル）に従って実行され得る。ＣＣＡ手順４１５に続いて、ＣＵＢＳ４２０などのチャネル使用信号が送信され得、データ送信（たとえば、アップリンク送信またはダウンリンク送信）が後続し得る。例として、データ送信は、３つのサブフレームの意図された持続時間４０５と、３つのサブフレームの実際の持続時間４１０とを有し得る。
【００６５】
[0081]上で示されたように、図４は例として提供される。他の例が可能であり、他の例は図４に関連して説明されたものとは異なることがある。
【００６６】
[0082]図５は、本開示の様々な態様による、競合ベースの共有無線周波数スペクトル帯域にアクセスするために競合するとき、送信装置によって実行される拡張ＣＣＡ（ＥＣＣＡ）手順５１５の一例５００の図である。いくつかの例では、ＥＣＣＡ手順５１５は、図３を参照しながら説明したダウンリンクＣＣＡ手順３４５またはアップリンクＣＣＡ手順３６５の一例であり得る。ＥＣＣＡ手順５１５は、ランダムな数のＣＣＡ手順を含み得、いくつかの例では、複数のＣＣＡ手順を含み得る。したがって、ＥＣＣＡ手順５１５は、可変の持続時間を有し得る。いくつかの例では、ＥＣＣＡ手順５１５は、ＬＢＴ負荷ベース機器（ＬＢＴ−ＬＢＥ）プロトコル（たとえば、ＥＮ３０１  ８９３によって説明されるＬＢＴ−ＬＢＥプロトコル）に従って実行され得る。ＥＣＣＡ手順５１５は、競合ベースの共有無線周波数スペクトル帯域にアクセスするための競合に勝つことのより高い可能性をもたらし得るが、より短いデータ伝送の潜在的なコストをもたらし得る。ＥＣＣＡ手順５１５に続いて、ＣＵＢＳ５２０など、チャネル使用信号が送信され、その後にデータ送信が続き得る。例として、データ送信は、３つのサブフレームとしての意図された持続時間５０５と、２つのサブフレームとしての実際の持続時間５１０とを有し得る。
【００６７】
[0083]上で示されたように、図５は例として提供される。他の例が可能であり、他の例は図５に関連して説明されたものとは異なることがある。
【００６８】
[0084]図６は、図１の基地局／ｅＮＢのうちの１つであり得る基地局／ｅＮＢ１０５および図１のＵＥのうちの１つであり得るＵＥ１１５の設計のブロック図を示す。ｅＮＢ１０５はアンテナ６３４ａ〜６３４ｔを装備し得、ＵＥ１１５はアンテナ６５２ａ〜６５２ｒを装備し得る。ｅＮＢ１０５において、送信プロセッサ６２０は、データソース６１２からデータを受信し、コントローラ／プロセッサ６４０から制御情報を受信することができる。制御情報は、物理ブロードキャストチャネル（ＰＢＣＨ：physical broadcast channel）、物理制御フォーマット指示チャネル（ＰＣＦＩＣＨ：physical control format indicator channel）、物理ハイブリッド自動再送要求指示チャネル（ＰＨＩＣＨ：physical hybrid automatic repeat request indicator channel）、物理ダウンリンク制御チャネル（ＰＤＣＣＨ：physical downlink control channel）などに対するものであり得る。データは、物理ダウンリンク共有チャネル（ＰＤＳＣＨ：physical downlink shared channel）などのためのものであり得る。送信プロセッサ６２０は、データシンボルと制御シンボルとを取得するために、それぞれデータと制御情報とを処理（たとえば、符号化およびシンボルマッピング）し得る。送信プロセッサ６２０はまた、たとえば、１次同期信号（ＰＳＳ）、２次同期信号（ＳＳＳ）、およびセル固有基準信号のための基準シンボルを生成し得る。送信（ＴＸ）多入力多出力（ＭＩＭＯ）プロセッサ６３０は、適用可能な場合、データシンボル、制御シンボル、および／または基準シンボルに対して空間処理（たとえば、プリコーディング）を実施し得、出力シンボルストリームを変調器（ＭＯＤ）６３２ａ〜６３２ｔに与え得る。各変調器６３２は、（たとえば、ＯＦＤＭなどのための）それぞれの出力シンボルストリームを処理して、出力サンプルストリームを取得し得る。各変調器６３２はさらに、ダウンリンク信号を取得するために、出力サンプルストリームを処理（たとえば、アナログへの変換、増幅、フィルタ処理、およびアップコンバート）し得る。変調器６３２ａ〜６３２ｔからのダウンリンク信号は、それぞれアンテナ６３４ａ〜６３４ｔを介して送信され得る。
【００６９】
[0085]ＵＥ１１５において、アンテナ６５２ａ〜６５２ｒは、ｅＮＢ１０５からダウンリンク信号を受信し得、受信信号をそれぞれ復調器（ＤＥＭＯＤ）６５４ａ〜６５４ｒに与え得る。各復調器６５４は、それぞれの受信信号を調整（たとえば、フィルタ処理、増幅、ダウンコンバート、およびデジタル化）して、入力サンプルを取得し得る。各復調器６５４は、（たとえば、ＯＦＤＭなどのために）入力サンプルをさらに処理して、受信シンボルを取得し得る。ＭＩＭＯ検出器６５６は、すべての復調器６５４ａ〜６５４ｒから受信シンボルを取得し、適用可能な場合は受信シンボルに対してＭＩＭＯ検出を実行し、検出シンボルを与え得る。受信プロセッサ６５８は、検出シンボルを処理（たとえば、復調、デインターリーブ、および復号）し、ＵＥ１１５のための復号されたデータをデータシンク６６０に与え、復号された制御情報をコントローラ／プロセッサ６８０に与え得る。
【００７０】
[0086]アップリンク上では、ＵＥ１１５において、送信プロセッサ６６４が、データソース６６２から（たとえば、物理アップリンク共有チャネル（ＰＵＳＣＨ：physical uplink shared channel）のための）データを受信し、処理し得、コントローラ／プロセッサ６８０から（たとえば、物理アップリンク制御チャネル（ＰＵＣＣＨ：physical uplink control channel）のための）制御情報を受信し、処理し得る。送信プロセッサ６６４はまた、基準信号のための基準シンボルを生成し得る。送信プロセッサ６６４からのシンボルは、適用可能な場合はＴＸ  ＭＩＭＯプロセッサ６６６によってプリコードされ、さらに（たとえば、ＳＣ−ＦＤＭなどのために）復調器６５４ａ〜６５４ｒによって処理され、ｅＮＢ１０５に送信され得る。ｅＮＢ１０５において、ＵＥ１１５からのアップリンク信号は、アンテナ６３４によって受信され、変調器６３２によって処理され、適用可能な場合はＭＩＭＯ検出器６３６によって検出され、さらに受信プロセッサ６３８によって処理されて、ＵＥ１１５によって送られた復号されたデータおよび制御情報が取得され得る。プロセッサ６３８は、復号されたデータをデータシンク６４６に与え、復号された制御情報をコントローラ／プロセッサ６４０に与え得る。
【００７１】
[0087]コントローラ／プロセッサ６４０および６８０は、それぞれｅＮＢ１０５における動作およびＵＥ１１５における動作を指示し得る。ｅＮＢ１０５におけるコントローラ／プロセッサ６４０および／または他のプロセッサおよびモジュールは、本明細書で説明する技法のための様々なプロセスを実行するか、またはその実行を指示し得る。ＵＥ１１５におけるコントローラ／プロセッサ６８０ならびに／または他のプロセッサおよびモジュールはまた、図８、図１０Ａ、図１０Ｂ、および図１２に示されている機能ブロック、および／または本明細書で説明する技法のための他のプロセスを実行するか、またはその実行を指示し得る。メモリ６４２および６８２は、それぞれ、ｅＮＢ１０５およびＵＥ１１５のためのデータおよびプログラムコードを記憶し得る。スケジューラ６４４は、ダウンリンクおよび／またはアップリンク上でのデータ送信のためにＵＥをスケジューリングし得る。
【００７２】
[0088]ＵＥなどのデバイスは、信号の受信および／または送信に使用するために複数のアンテナ（Ｎ）を有し得る。デバイスは、ＬＴＥ、ＷｉＦｉなどの特定の無線アクセス技術（ＲＡＴ）のため、特定のキャリア周波数のため、またはその両方のために使用するために、アンテナの使用と割当てとを分割する場合がある。たとえば、デバイスは、ＣＡの場合に１つのキャリアに対して固定数のアンテナを使用してよく、またはデバイスがＷｉＦｉとＬＴＥなどの他の技術の両方をサポートするときにＷｉＦｉに対して固定数のアンテナを使用してもよい。一例では、ＵＥは４つのアンテナを有し、ＷｉＦｉ通信のためにアンテナのうちの２つを割り当て、ＬＴＥ通信のために２つのアンテナを割り当ててもよい。また、ＵＥなどのデバイスは、１つの技術または１つのキャリアのためのアンテナの数を動的にまたは半静的に選択してもよい（アンテナ選択）。そのような動的なまたは半静的な方式では、共有または選択は、チャネル品質インジケータ（ＣＱＩ）、基準信号受信電力（ＲＳＲＰ）など、特定の測定結果によってトリガされ得る。
【００７３】
[0089]ＬＴＥなどの通信ネットワークは、周波数分割多重化（ＦＤＭ）実装形態および時分割多重化（ＴＤＭ）実装形態を有し得る。ＦＤＭ実装形態における共有オプションは、異なるアンテナを実際に共有しているのではなく、アンテナを介して受信された周波数スペクトルを共有するのである。たとえば、ＵＥは、異なるエアインターフェースに対してすべてのアンテナを同時に使用するためにダイプレクサ／スイッチを使用し得る。ダイプレクサ／スイッチは、不要な周波数をフィルタリングで除去することによってフィルタとして働く。しかしながら、そのようなＦＤＭ共有方式では、一般的に、信号がフィルタリングされるときに信号強度においてかなりの損失が存在する。また、そのような損失は、周波数帯域が高くなるにつれて増加する。ＴＤＭ実装形態は、実際には、各エアインターフェース／技術に対して別個のアンテナを使用するかまたは割り当てることができる。したがって、そのようなエアインターフェース／技術を介する通信が使用されないとき、使用されない通信に対して割り当てられたかまたは指定されたそのようなアンテナが、他のエアインターフェース／技術と共有され得る。本開示の様々な態様は、ＴＤＭ実装形態を使用する通信システムを対象とする。
【００７４】
[0090]理想的な動作では、ＵＥはあらゆるサブフレーム内でＰＤＣＣＨを監視することになる。しかしながら、通常動作では、ＵＥは、ネットワークがいつＰＤＣＣＨを送信するかを正確には知らないので、ＵＥは、常時アウェイクしていなければならないことになる。これは、ＵＥにおいて許容できないレベルの電力消費を生じることになる。この問題に対する一般的な解決策は、ＵＥが一定の時間期間の間スリープモードに入り、次いでＰＤＣＣＨが実際に送信される場合、その時間期間の間に送信されたＰＤＣＣＨを受信することを予測して一定の時間期間の間ウェイクアップする、間欠受信（ＤＲＸ）である。オン持続時間タイマーは、ＵＥがオン状態またはアクティブ状態にある時間量をカウントするために使用される。オン持続時間の時間とオフ（スリープ）時間の合計は、ＤＲＸサイクルと呼ばれる。ＵＥがＰＤＣＣＨを受信すると、所定の時間量をカウントする、非アクティビティタイマーと呼ばれる第２のタイマーが起動される。ＵＥは、非アクティビティタイマーの間アクティブのままであり、そのことが、オン持続時間タイマーの終了を越えてＵＥアクティビティを延長させ得る。後続のＰＤＣＣＨが非アクティビティタイマー持続時間内に受信されない場合、ＵＥは、次のＤＲＸサイクルの開始までスリープモードに再び入ることになる。
【００７５】
[0091]ＬＴＥリリース１２キャリアアグリゲーションでは、ＤＲＸアクティブ時間は、すべてのサービングセルにわたって共通である。それゆえ、ＵＥが１つのセル内でアクティブである場合、それはそれらのすべてに対してアクティブである。アクティブ時間は、任意のＤＲＸタイマー（たとえば、オン持続時間タイマー、非アクティビティタイマー、など）が作動中であるとき、ＵＥがバッファ内のデータを報告していない（unreported）とき、ＵＥがスケジューリング再送信を予期するとき、などの時間を含む。共通のＤＲＸタイミングは、基地局が送るべきダウンリンクデータを有するときに最大のスケジューラ柔軟性を可能にする。その上、ＵＥはすべてのセル上でアクティブであるので、クロスキャリアスケジューリングに関する制約は存在しない。
【００７６】
[0092]別のＬＴＥリリース１２技術は、デュアル接続性を含む。デュアル接続性は、ＵＥが、２つの異なるアクセスポイントまたは基地局に対して２つ以上の独立した接続を有することをもたらす。各基地局に対する制御が、各セルまたはセルのグループの１次キャリアを通して発生する。デュアル接続性では、ＵＥに接続されたセルのセットは、マスタセルグループ（ＭＣＧ）と２次セルグループ（ＳＣＧ）とにグループ化される。そのようなＭＣＧおよびＳＣＧの各々は、ＭＣＧおよびＳＣＧにおいて動作を独立して制御およびスケジュールするために、それ自体の１次コンポーネントキャリアを含むことになる。デュアル接続性におけるＤＲＸ動作に対して、ＤＲＸ手順がまた、ＭＣＧおよびＳＣＧにわたって独立している。ＭＣＧがボイスオーバーＩＰ（ＶｏＩＰ）通信、ボイスオーバーＬＴＥ（ＶｏＬＴＥ）などのより高いＱｏＳペイロード用に指定され、ＳＣＧが通常データなどのより低いＱｏＳペイロード用に指定されるとき、ＤＲＸタイミングは、ＰＤＣＣＨがＭＣＧまたはＳＣＧのいずれかの上で送信されるときに、アクティブであるべきより良い機会をＵＥに与えるためにスケジュールされ、独立に設定されてよい。また、各セルグループは独立にスケジュールされるので、一般的に、セルグループにわたるクロスキャリアスケジューリングは存在しない。
【００７７】
[0093]ＬＴＥリリース１２を超えるネットワークは、現在のＬＴＥ構成におけるような非競合ベースのスペクトルと無認可キャリアを含む競合ベースの共有スペクトルとを含むように企図される。ライセンス補助アクセス（ＬＡＡ）モードネットワークは、非競合ベースのスペクトルと競合ベースのスペクトルの両方によって動作する。非競合ベースのスペクトルは１次キャリア用に使用されてよく、一方、競合ベースの共有スペクトルは２次キャリア用に使用されてよい。保証付き送信の場合、制御シグナリングは、非競合ベースのスペクトル上の１次キャリアによって通信されてよい。ＬＡＡ用に構成されたＬＴＥ／ＬＴＥ−Ａネットワーク内のＤＲＸ動作は、キャリアアグリゲーション動作をベースラインとして提供する場合がある。それゆえ、例示的な一動作では、ＬＡＡ用に構成されたネットワーク内のＵＥは、すべてのセル上で共通のＤＲＸを有する場合がある。
【００７８】
[0094]そのようなネットワークは競合ベースの共有スペクトルを使用するので、送信のためのチャネルアベイラビリティは不確定である。したがって、基地局がデータを有し、被サービスＵＥがＤＲＸオン持続時間内にアクティブであるときに、競合ベースのスペクトルを有するセルが送信のために利用可能になる保証はない。ネットワークエンティティが競合ベースのキャリア上で送信することを許可される前に、エンティティは、クリアチャネルアセスメント（ＣＣＡ）などのＬＢＴ手順を実行する。ネットワークエンティティがＣＣＡ検査を実行するときに、別の送信機が偶然、そのチャネル上で送信されている場合、ＣＣＡ検査は失敗することになり、要求側エンティティはデータを送信できないことになる。したがって、送信が予測可能な保証された間隔において発生しないので、より長いＤＲＸタイマー（たとえば、オン持続時間タイマー、非アクティビティタイマー）が、チャネルが送信機によって実際に確保される（secured）ときにＵＥがアクティブである確率を高めることができる。しかしながら、より長いＵＥのアクティブ状態を維持することは、基地局がチャネルを確保できないが、ＵＥは監視するために依然としてアウェイクであるとき、より多くの非効率的な電力使用と不必要な電力消耗とをもたらす。
【００７９】
[0095]図７は、基地局１０５によってサービスされるＵＥ１１５を示すブロック図である。ＤＲＸ状態７００は、ＵＥ１１５と基地局１０５とを伴う通信の７つのフレームを示す。ＣＣＡ／ＥＣＣＡ７０１は、競合ベースのチャネルが、示されたフレームまたはフレームの部分の間に基地局１０５によって取り込まれたかどうかを反映するＤＲＸ状態７００のフレームと同期された概念的タイムラインを与える。図示の例の目的で、ＵＥ１１５はスリープモードにあるフレーム１から（at）開始する。フレーム２、４および６において、ＵＥ１１５は、ＤＲＸ動作のオン持続時間期間の間、ウェイクアップしている。しかしながら、送信機／基地局１０５は、フレーム４の始まりおよびフレーム３の後部の大部分の間はチャネルを予約していない。それゆえ、ＵＥ１１５はフレーム４のオン持続時間の間にウェイクアップしているので、基地局１０５は送信できない。したがって、フレーム４においてウェイクアップしてＰＤＣＣＨを監視するためにＵＥ１１５によって消費される電力は、無駄になる。同様に、フレーム６において、ＵＥ１１５は、ＰＤＣＣＨを監視するためにＤＲＸスリープモードの後で再びウェイクアップする。しかしながら、基地局１０５は、フレーム５からフレーム６への遷移にわたってチャネルを確保することができないので、再び、ＵＥ１１５は不必要にウェイクアップし、不必要に電力を浪費する。
【００８０】
[0096]ＤＲＸ動作の構成は、通信の一部であるデータのタイプ（たとえば、ＶｏＩＰ、ＶｏＬＴＥ、非ＶｏＬＴＥ、通常データ、などに応じて最適化されてよい。第１の例示的な動作では、ＵＥ１１５などのＵＥは、通常データ（たとえば、非ＶｏＬＴＥ）によって（with）動作する。通常データに対する一般的なＤＲＸ構成は、オン持続時間＝１０ｍｓと、非アクティビティタイマー＝１００ｍｓと、ＤＲＸサイクル＝３２０ｍｓとを含む。競合ベースのスペクトルを有する２次セルを有するキャリアアグリゲーションシナリオでは、基地局（たとえば、基地局１０５）は、ＳＣｅｌｌが利用不可能である場合、ＤＲＸオン持続時間の間にＰＣｅｌｌ上の送信をスケジュールすることができる。すべてのセルにわたる共通のＤＲＸプロセスによって、ＵＥがオン持続時間の間にＰＣｅｌｌ上でスケジュールされた送信を受信する場合、１００ｍｓの非アクティビティタイマーは、競合ベースのＳＣｅｌｌがその後に利用可能になるときにＵＥがアクティブである確率を改善し得る。
【００８１】
[0097]スタンドアロンまたはデュアル接続性として構成された競合ベースのスペクトルを有するネットワークにおいて、現在のＤＲＸオン持続時間タイミングは、基地局が競合ベースのＭＣＧのＰＣｅｌｌまたはＳＣＧのＰＳＣｅｌｌ内でチャネルを取り込むために十分長くＵＥ（たとえば、ＵＥ１１５）がアクティブのままであるには、十分でない可能性が極めて高いことになる。それゆえ、ＵＥがアクティブである間に基地局がチャネルを取り込むことができる可能性を高めるために、ＤＲＸオン持続時間期間を著しく増加させて（たとえば、１５ｍｓまたは２０ｍｓ）、ＵＥがＤＲＸオン持続時間内にアクティブである間にチャネルが取り込まれることを確実にすることが好ましい。
【００８２】
[0098]第２の例示的な動作では、ＵＥ（たとえば、ＵＥ１１５）は、通常データに加えてボイスオーバーＬＴＥ（ＶｏＬＴＥ）データと通信し、ここで通常データは、競合ベースのスペクトルにオフロードされてよい。ＶｏＬＴＥ通信はデータトラフィック遅延の少ないより良いカバレージ、より高いＱｏＳを必要とする場合があるので、ＶｏＬＴＥ通信は、保証された非競合ベースのスペクトルを有する１次セルにおいて維持されてよい。一般的なＤＲＸ構成では、ＶｏＬＴＥ最適化ＤＲＸは、オン持続時間＝２ｍｓ、非アクティビティタイマー＝２ｍｓ、およびＤＲＸサイクル＝４０ｍｓをもたらしてよく、一方、データ最適化ＤＲＸは、オン持続時間＝１０ｍｓ、非アクティビティタイマー＝１００ｍｓ、およびＤＲＸサイクル＝３２０ｍｓをもたらしてよい。しかしながら、最適化ＤＲＸ動作は、競合ベースのスペクトルを含むネットワークに対して有益ではない。
【００８３】
[0099]競合ベースのスペクトルを有する２次セルを含むキャリアアグリゲーションシナリオでは、ＶｏＬＴＥ最適化ＤＲＸタイマーは、基地局が競合ベースのセル上でチャネルを取り込むのに十分な時間を許容せず、したがってデータトラフィックに対して低いスループットをもたらす。対照的に、データ最適化タイマーは、ＶｏＬＴＥトラフィックだけを有するにもかかわらず必要以上にかなり長い間ＵＥを、ＰＣｅｌｌを伴うアクティブＤＲＸ状態に留まらせることになり、それが非効率的なバッテリー消費につながる。デュアル接続性シナリオの場合、各セルは独立したＤＲＸ構成を有するので、問題はない。なぜならば、独立したＤＲＸプロセスは、トラフィックのタイプに適応するようにＰＣｅｌｌおよびＰＳＣｅｌｌ上で構成され得るからである。
【００８４】
[00100]競合ベースのスペクトルを有するスタンドアロン構成におけるネットワークの場合、ＶｏＬＴＥ通信は競合ベースのスペクトル上でサービスされ、したがって保証されない。しかしながら、ＶｏＬＴＥ最適化ＤＲＸは競合ベースのスペクトル上のＶｏＬＴＥに対するＱｏＳターゲットを満たすことはできないので、現在のＶｏＬＴＥ通信は、競合ベースのスペクトル上で実用的である可能性はない。
【００８５】
[00101]要約すれば、ベストエフォートの通常データサービスを有するＵＥに対して、現在のＤＲＸ動作は、ネットワークが、キャリアアグリゲーションとして構成されるか、デュアル接続性として構成されるか、または競合ベースのスペクトルを有するスタンドアロンとして構成されるかにかかわらず、十分なＤＲＸパラメータを提供し得る。通常データサービスに加えてより高いエフォートのデータサービス（higher-effort data service）ＶｏＬＴＥ、ＶｏＩＰなど）を有するＵＥの場合、非競合ベースのスペクトルおよび競合ベースのスペクトル上の別個のＤＲＸ構成は、キャリアアグリゲーションにおけるバッテリー効率を改善することができる。また、この別個のＤＲＸ構成は、すでに、それの独立したＭＣＧおよびＳＣＧのスケジューリングを有するデュアル接続性ネットワークに対して可能である。本開示の様々な態様は、競合ベースのスペクトルを有するネットワークを伴う新しいＤＲＸ手順を提供する。
【００８６】
[00102]競合ベースのスペクトルを有するネットワークに関わるＤＲＸに伴う問題に対処することにおいて、考慮すべき複数の可能な手法が存在する。たとえば、一態様では、共通のＤＲＸ手順が維持され得る。そのような態様では、ＤＲＸオン持続時間の期間は、ＵＥがアクティブである間に基地局が送信のためのチャネルを確保することをスケジュールし、可能にするための機会を増大させるために延長される場合がある。ＤＲＸオン持続時間の長さの増加は、すべてのセルにおいて増加したアクティブ時間をもたらすことになる。したがって、バッテリーまたは電力の管理に対して潜在的な影響を与える。しかしながら、電力管理に対するそのような影響を低減し得る、レイヤ１（Ｌ１）／レイヤ２（Ｌ２）シグナリングに関わるいくつかの特徴が考慮される場合がある。
【００８７】
[00103]別の態様では、別個のＤＲＸ構成は、競合ベースのスペクトルを有するセルを考慮されてよい。ＤＲＸを分離することは、データタイプに基づく最適化を可能にし、それは、非競合ベースのスペクトルを有するＰＣｅｌｌ上でよりアグレッシブであり得、競合ベースのスペクトルを有するＳＣｅｌｌ上でより穏やかであり得る。代替態様では、ＤＲＸパラメータのうちのいくつかは、共通の、たとえばＤＲＸサイクル、オフセットなどのままであり得る。また、別個のＤＲＸ構成は、ＰＣｅｌｌ上の不必要なウェイクアップを回避するのを助け得る。
【００８８】
[00104]別の態様では、ＤＲＸ手順は、競合ベースのスペクトルを伴うセルに対する現在の手順から完全に変更される場合がある。たとえば、スタンドアロンおよびデュアル接続性構成のネットワークにおけるように、非競合ベースのスペクトルを有するセルが利用可能でないとき、より多くの電力最適化動作が実施され得る。そのような例示的な態様では、ＤＲＸ手順は、ＣＵＢＳまたは送信のためのチャネルの使用を示す他の送信もしくは基準信号などのチャネル使用信号の検出時にトリガされ得る。
【００８９】
[00105]図８は、基地局１０５からのＰＣｅｌｌおよび基地局１０５ｓからのＳＣｅｌｌ上の通信に関与するＵＥ１１５を示すブロック図である。基地局１０５ｓは、競合ベースのスペクトルを使用してＳＣｅｌｌを動作させる。それゆえ、ＳＣｅｌｌ上でＵＥ１１５へのいずれかの送信に関わる前に、基地局１０５ｓは最初に、正常であるＣＣＡ検査を実行する。図８に示すように、ＵＥ１１５に対するＤＲＸ動作は、ＰＣｅｌｌとＳＣｅｌｌの両方にわたって共通である。ＰＣｅｌｌ  ＤＲＸ８００は、フレーム１〜７上のＰＣｅｌｌのＤＲＸ動作を示し、一方、ＳＣｅｌｌ  ＤＲＸ８０１は、同じフレーム上のＳＣｅｌｌのＤＲＸ動作を示す。ＣＣＡ／ＥＣＣＡ８０２は、競合ベースのチャネルが、示されたフレームまたはフレームの部分の間に基地局１０５ｓによって取り込まれたかどうかを反映するＰＣｅｌｌ  ＤＲＸ８００およびＳＣｅｌｌ  ＤＲＸ８０１のフレームと同期された概念的タイムラインを与える。基地局１０５ｓがチャネルを正常に予約することができるときにＵＥ１１５がアクティブである確率を改善するのに十分長く、ＤＲＸオン持続時間タイマーおよび非アクティビティタイマーを増加させる（たとえば、１５〜２０ｍｓ）ために、ＤＲＸ動作がＵＥ１１５において修正される。フレーム２において、ＰＣｅｌｌ  ＤＲＸ８００はＵＥ１１５がアクティブであってＰＣｅｌｌを監視していることを確認し（identifies）、共通のＤＲＸプロセスによって、ＳＣｅｌｌ  ＤＲＸ８０１もまた、ＵＥ１１５がアクティブであってＳＣｅｌｌを監視していることを確認する。基地局１０５ｓは、フレーム２において競合ベースのチャネルをすでに取り込んでおり、したがってＤＲＸプロセスは、基地局１０５ｓから送信すべきデータが存在する場合、正常であり得る。フレーム４および６において、ＵＥ１１５もまた、アクティブであってＰＣｅｌｌとＳＣｅｌｌとを監視している。しかしながら、基地局１０５ｓは競合ベースのチャネルを取り込んでおらず、それゆえ、フレーム４および６の部分に対して、ＵＥ１１５は不必要にアクティブである。基地局１０５ｓは、サブフレームの始まりにおいてチャネルを確保しないが、基地局１０５ｓは、フレーム４および６上でオン持続時間期間の間にチャネルを確保する。それゆえ、有用でアクティブなオン持続時間が、後でこれらのサブフレーム内でＵＥ１１５に対して発生し得る。しかしながら、基地局１０５ｓがオン持続時間の間にチャネルを確保することに失敗した場合、図８に示す共通のＤＲＸ解決策は、ＰＣｅｌｌおよびＳＣｅｌｌ上で不必要にウェイクアップすることにつながり、さらに、ＵＥ１１５の有用なウェイクアップ時間を最適化しない。
【００９０】
[00106]図９は、本開示の一態様を実装するために実行される例示的なブロックを示すブロック図である。また、図９のブロックは、図１０に示すハードウェア、構成要素および特徴に関して説明される。図１０は、本開示の一態様に従って構成されたＵＥ１１５ならびに基地局１０５および１０５ｓを示すブロック図である。ＵＥ１１５ならびに基地局１０５および１０５ｓは、本明細書で説明する特徴とアクションとを実行し実装するために、図６に示す構成要素およびハードウェアを用いて構成され得る。
【００９１】
[00107]ブロック９００において、ＵＥ１１５などのＵＥは、第１のアクティブ時間の持続時間の間に１次セルを監視し、第１のアクティブ時間の持続時間は、１つまたは複数のＤＲＸタイマーに少なくとも部分的に基づく。ＤＲＸプロセスの一部分として、ＵＥ１１５がアクティブであってダウンリンク制御チャネルを監視している時間の長さは、ＤＲＸタイマー（たとえば、オン持続時間タイマー、非アクティビティタイマー）のうちの１つによって管理される。フレーム２、４および６など、ＤＲＸサイクルの始まりにおいて、ＵＥ１１５はスリープモードからウェイクアップし、ＰＣｅｌｌ  ＤＲＸ１０００に示すように基地局１０５の１次セルを監視する。ＵＥ１１５がウェイクアップすると、ＤＲＸオン持続時間タイマーが開始される（initiated）。ＤＲＸオン持続時間タイマーの満了前に制御チャネルが受信されない場合、ＵＥ１１５はスリープモードに再び入ることになる。しかしながら、オン持続時間の時間中に制御チャネルが受信された場合、ＤＲＸ非アクティビティタイマーが起動される（started）。ＵＥ１１５は、任意の追加の制御チャネルに対するＰＣｅｌｌを監視する非アクティビティタイマーの間、アクティブのままであることになる。非アクティビティタイマーの間のこのアクティビティは、ＤＲＸオン持続時間タイマーの満了を越えてＵＥのアクティブ状態を延長させ得る。したがって、第１のアクティブ時間の持続時間は、オン持続時間タイマーと非アクティビティタイマーの一方または両方に少なくとも部分的に基づく。
【００９２】
[00108]ブロック９０１において、ＵＥ１１５はまた、第２のアクティブ時間の持続時間の間に２次セルを監視し、第２のアクティブ時間の持続時間は第１のアクティブ時間の持続時間に基づく。ＤＲＸ手順の図示の態様では、共通のＤＲＸが、１次セルおよび２次セルにわたって維持される。したがって、２次セルに対するＵＥ１１５のＤＲＸオン持続時間の時間は、ＳＣｅｌｌ  ＤＲＸ１００１において示すように、１次セルのＤＲＸオン持続時間の時間と同じであるように構成される。その上、ダウンリンク制御チャネルがアクティブなオン持続時間の時間中に１次セルまたは２次セルのいずれかの上で検出された場合、ＵＥ１１５は、非アクティビティタイマーの持続時間の間にアクティブのままであることになる。
【００９３】
[00109]ブロック９０２において、ＵＥ１１５は、物理レイヤチャネル上のＤＲＸコマンド１００３〜１００５などのＤＲＸコマンドを受信する。たとえば、ＵＥ１１５は、基地局１０５または１０５ｓなどの基地局からＤＲＸコマンド１００３を受信する。基地局（１次セルまたは２次セルに対する基地局１０５または１０５ｓのいずれか、それぞれ）は、（たとえば、ＬＢＴフレームがフレーム１の終わりおよびフレーム２の始まりにおいてＣＣＡ／ＥＣＣＡ１００２によって示されるようにクリアとして照合されないことによって、またはＵＥ１１５に対するデータを持たないことによって）２次セルの競合ベースのスペクトル上でＵＥ１１５をスケジュールすることを意図しない（できない）場合、基地局１０５または１０５ｓは、２次セルに対してＤＲＸかまたはスリープモードに入るためにＵＥ１１５にＤＲＸコマンド１００３〜１００５を送信する。ＤＲＸコマンド１００３〜１００５または同様のそのようなコマンドもしくは制御信号は、Ｌ１シグナリングを介して送られてよい。たとえば、１ビットフラグが、ＰＣｅｌｌまたはＳＣｅｌｌのいずれかからの許可の中に含まれてよい。レガシーＤＲＸコマンドとは違って、ＤＲＸコマンド１００３〜１００５は、スリープモードに入る前に媒体アクセス制御（ＭＡＣ）制御要素（ＣＥ）を処理してＨＡＲＱフィードバックを送るためにＵＥ１１５を必要としない。
【００９４】
[00110]ブロック９０３において、ＵＥ１１５は、ＤＲＸコマンド１００３〜１００５に応答して２次セル上でスリープモードに入る。たとえば、ＵＥ１１５がＤＲＸコマンド１００３〜１００５のうちのいずれかを受信するとすぐに、ＵＥ１１５は、ＤＲＸコマンド１００３を受信した後にフレーム２の始まり付近で（toward）、ＤＲＸコマンド１００４を受信した後にフレーム４の終わりにおいて、およびＤＲＸコマンド１００５を受信した後にフレーム６の始まり付近で、スリープモードに入る。したがって、ＵＥ１１５がＤＲＸコマンド１００３〜１００５を受信すると、ＵＥ１１５は直ちにＤＲＸまたはスリープモードに進む。また、ＵＥ１１５は、ＤＲＸコマンドを受信すると任意の（any）ＤＲＸタイマー（たとえば、ＤＲＸオン持続時間タイマー、非アクティビティタイマー）を停止させる。
【００９５】
[00111]図９に示す本開示の態様によれば、ＵＥ１１５が直接影響を与え（act）得るＤＲＸコマンド１００３〜１００５の使用は、ＬＢＴフレームが早期に検査するときにＵＥウェイクアップ時間を最小化する。しかしながら、ＬＢＴフレームが遅れて検査する場合、電力節約は限定される。たとえば、ＣＣＡ／ＥＣＣＡ１００２に示すように、チャネルは、フレーム２において早期に正常に取り込まれている。したがって、基地局１０５ｓは、チャネルが予約されるとすぐにデータを送信し、ＤＲＸオン持続時間タイマーの満了前にスリープモードをトリガするＵＥ１１５にＤＲＸコマンド１００３を送ることができる。同様に、フレーム６において、ＣＣＡ／ＥＣＣＡ１００２は、基地局１０５ｓが正常なＣＣＡ検査を有さず、したがってＤＲＸサイクルが始まるときにチャネルを取り込んでいなかったことを示す。基地局１０５はＵＥ１１５に送信するデータを有さず、したがってＳＣｅｌｌ上でスリープモードをトリガするＵＥ１１５にＤＲＸコマンド１００５を送る。
【００９６】
[00112]図１１は、本開示の一態様を実施するために実行される例示的なブロックを示すブロック図である。また、図１１のブロックは、図１２に示すハードウェア、構成要素および特徴に関して説明される。図１２は、本開示の一態様に従って構成されたＵＥ１１５ならびに基地局１０５および１０５ｓを示すブロック図である。上述のように、ＵＥ１１５ならびに基地局１０５および１０５ｓは、本明細書で説明する特徴とアクションとを実行し実施するために、図６に示す構成要素およびハードウェアを用いて構成され得る。１次セルおよび２次セルにわたって共通のＤＲＸプロセスを特徴付ける、図９および図１０に関して説明した態様とは異なり、図１１および図１２に関して説明する例示的な態様は、１次セルおよび２次セルの各々に対して構成される別個のＤＲＸプロセスを特徴とする。
【００９７】
[00113]ブロック１１００において、ＵＥ１１５は、第１のＤＲＸオン持続時間に設定された第１のオン持続時間タイマーの間に１次セルを監視する。１次セルに対するＤＲＸオン持続時間は、ＵＥ１１５が、１次セルの非競合ベースのスペクトル上で基地局１０５からのダウンリンク制御信号を監視することを可能にする。基地局１０５からの１次セルは、ＤＲＸオン持続時間タイマーと、２次セルのＤＲＸタイマーとは異なる非アクティビティタイマーとによって構成される。図１２に示すＤＲＸサイクル１２０２は、フレーム２において始まり、フレーム５の終端において終わる４つのフレームの長さを有する。１次セルのＤＲＸタイマーは２次セルのＤＲＸタイマーから分離しているが、図１１および図１２に関して図示され説明される態様の目的に対して、ＤＲＸサイクル１２０２およびオフセットは、両セルに共通であってもよい。
【００９８】
[00114]ブロック１１０１において、ＵＥ１１５は、第１のＤＲＸオン持続時間とは異なる第２のＤＲＸオン持続時間に設定された第２のオン持続時間タイマーの間に２次セルを監視する。ダウンリンク制御チャネルが第２のオン持続時間タイマーの間に２次セル上で検出されたときに使用される第２のオン持続時間タイマーおよび第２の非アクティビティタイマーは、１次セルにおけるものより長い場合がある。なぜならば、２次セルの競合ベースのスペクトルは、基地局１０５ｓが送信用のリソースを予約するために追加の時間を生じ得るからである。上記のように、ＤＲＸサイクル１２０２およびオフセットは、アクティブ時間重複を最大化し、セル間のウェイクアップ遷移を最小化するために、１次セルと２次セルの両方において同じであり得る。したがって、フレーム２におけるＰＣｅｌｌ  ＤＲＸ１２００に示される１次セルのオン持続時間の時間は、ＳＣｅｌｌ  ＤＲＸ１２０１に示されるフレーム２における２次セルのオン持続時間の時間と重複する。また、１次セルおよび２次セル内でアクティブ時間を重複させることは、１次セルからのクロスキャリアスケジューリングを可能にする場合がある。
【００９９】
[00115]ブロック１１０２において、ＵＥ１１５は、１次セルからトリガ信号を受信する。トリガ信号は、１次セルに対する基地局１０５からのＤＲＸコマンド１２０２など、物理レイヤ上でまたはＬ１シグナリングを介して送信されたＤＲＸコマンドを含む場合がある。
【０１００】
[00116]ブロック１１０３において、ＵＥ１１５は、トリガ信号に応答して２次セルに対するスリープモードに入る。フレーム６における基地局１０５からのＤＲＸコマンド１２０２などのトリガ信号は、ＵＥ１１５にスリープモードに入らせる。基地局１０５は、基地局１０５ｓが競合ベースのスペクトルを取り込めないか、または送信するデータを持たないと決定し、ＵＥ１１５にＤＲＸまたはスリープモードに入るように教示するＤＲＸコマンド１２０２を送る。
【０１０１】
[00117]図１３は、本開示の一態様を実装するために実行される例示的なブロックを示すブロック図である。また、図１３のブロックは、図１４に示すハードウェア、構成要素および特徴に関して説明される。図１４は、本開示の一態様に従って構成されたＵＥ１１５ならびに基地局１０５および１０５ｓを示すブロック図である。上述のように、ＵＥ１１５ならびに基地局１０５および１０５ｓは、本明細書で説明する特徴とアクションとを実行し実施するために、図６に示す構成要素およびハードウェアを用いて構成され得る。図１３および図１４に示す本開示の態様は、動的タイプの信号が、２次セルの競合ベースのスペクトルのアクティブオン持続時間に対してＵＥ１１５を選択的にウェイクアップするように動作する、１次セルおよび２次セルの各々に対して構成される別個の（separate）ＤＲＸプロセスを特徴とする。
【０１０２】
[00118]ブロック１３００において、ＵＥ１１５は、第１のＤＲＸ持続時間に設定された第１のオン持続時間タイマーの間に１次セルを監視する。１次セルに対するＤＲＸオン持続時間は、ＵＥ１１５が、１次セルの非競合ベースのスペクトル上で基地局１０５からのダウンリンク制御信号を監視することを可能にする。基地局１０５の１次セルは、ＤＲＸオン持続時間タイマーと、２次セルのＤＲＸタイマーとは異なる非アクティビティタイマーとによって構成される。ＰＣｅｌｌ  ＤＲＸ１４００に示すように、ＵＥ１１５は、フレーム２においてＤＲＸオン持続時間を開始し、フレーム４において共通のＤＲＸサイクル１４０５を新しいＤＲＸサイクルによって再び開始する。
【０１０３】
[00119]ブロック１３０１において、ＵＥ１１５は、２次セルに対するスリープモードを維持する。基地局１０５ｓの２次セルの競合ベースのスペクトルに対するスリープモードを維持することによって、ＵＥ１１５は電力を温存し（conserve）、不必要なウェイクアップ期間を回避することができる。ＳＣｅｌｌ  ＤＲＸ１４０１に示すように、ＵＥ１１５は、１次セルのＤＲＸオン持続時間を開始した後、フレーム２の始めにおいてスリープモードを維持する。
【０１０４】
[00120]ブロック１３０２において、ＵＥ１１５は、１次セルから２次ウェイクアップ信号を受信する。たとえば、基地局１０５は、フレーム２においてそれのオン持続時間アクティブ監視を開始する。しかしながら、ＣＣＡ／ＥＣＣＡ１４０２に示すように、基地局１０５ｓは競合ベースのスペクトルをその時点で取り込んでいないので、ＵＥ１１５は、２次セルに対するスリープモードにあるままである。基地局１０５ｓがチャネルを予約したことを基地局１０５が検出すると、基地局１０５は、ＵＥ１１５に２次ウェイクアップ信号１４０３を送信する。
【０１０５】
[00121]ブロック１３０３において、ＵＥ１１５は、２次ウェイクアップ信号に応答して、第２のオン持続時間タイマーの間に２次セルの監視を開始する。たとえば、ＵＥ１１５が２次ウェイクアップ信号１４０３を受信すると、ＵＥ１１５は、ＳＣｅｌｌ  ＤＲＸ１４０１のフレーム２において示すように、２次セルのアクティブオン持続時間監視を開始する。第２のオン持続時間タイマーの長さは、１次セルウェイクアップに基づいてよい。たとえば、第２のオン持続時間タイマーは、たとえＵＥ１１５が２次セルに対するスリープモードにあるままである場合でも、ＤＲＸアクティブ時間の間に１次セルがウェイクアップすると開始され得る。図示のように、ＵＥ１１５がフレーム４において１次セルのアクティブＤＲＸオン持続時間を開始する（begins）と、たとえＵＥ１１５が２次セルに関してスリープモードにある場合でも、第１のオン持続時間タイマーおよび第２のオン持続時間タイマーが開始する。２次ウェイクアップ信号１４０４を介して活性化されると、ＵＥ１１５は、フレーム４の終わりにおける第１のオン持続時間タイマーの満了まで、２次セルの競合ベースのスペクトルをアクティブに監視することになる。
【０１０６】
[00122]代替的に、第２のオン持続時間タイマーは、２次セルに対して別個に構成されてよい。たとえば、ＵＥ１１５が２次ウェイクアップ信号１４０３を受信すると、ＵＥ１１５は第２のオン持続時間タイマーに対してアクティブになり、それが、たとえ第１のオン持続時間タイマーがフレーム２の終わりで終了する場合でも、ＵＥ１１５がフレーム２の終わりを越えてフレーム３の始まりに入ってもアクティブであるという結果をもたらす。
【０１０７】
[00123]２次ウェイクアップ信号は、強化された干渉緩和およびトラフィック適応（ｅＩＭＴＡ）様のＬ１シグナリングとともに使用されるシグナリングなどの動的スタイルの信号であり、そのことが、ネットワークが同じフレーム内でＴＤＤアップリンク−ダウンリンク構成を動的に変更することを可能にすることに留意されたい。そのような動的シグナリングを使用して２次ウェイクアップ信号を送信することは、１次セルの基地局１０５が２次セルのアクティブＤＲＸオン持続時間に対してＵＥ１１５をウェイクアップすることを可能にする。ＵＥ１１５が、１次セルの基地局１０５によって動的にウェイクアップされるまで２次セルＤＲＸオン持続時間の間スリープモードのままであることを可能にする能力は、より少ない不必要なウェイクアップをもたらし、ＵＥ１１５がアウェイクしてＤＲＸオン持続時間監視を実行する時間の総量を低減する。
【０１０８】
[00124]図１５は、本開示の一態様を実施するために実行される例示的なブロックを示すブロック図である。また、図１５のブロックは、図１６に示すハードウェア、構成要素および特徴に関して説明される。図１６は、本開示の一態様に従って構成されたＵＥ１１５ならびに基地局１０５および１０５ｓを示すブロック図である。上述のように、ＵＥ１１５および基地局１０５ｓは、本明細書で説明する特徴とアクションとを実行し実施するために、図６に示す構成要素およびハードウェアを用いて構成され得る。図１５および図１６に示す本開示の態様は、競合ベースのスペクトルによる動作のために特別に構成されたＤＲＸプロセスを特徴とする。
【０１０９】
[00125]ブロック１５００において、ＵＥ１１５は、競合ベースの共有スペクトル上で基地局１０５ｓなどのサービング基地局からのチャネル使用信号を監視する。図１５に関して示すＤＲＸプロセスは、ＣＵＢＳ受信オンタイマーを提供し、そのタイマーの間にＵＥ１１５は、競合ベースのセルＤＲＸ１６００のフレーム２ならびにフレーム４および６の一部に示すように、基地局１０５ｓからのＣＵＢＳなどのチャネル使用信号をリッスンする。ＣＵＢＳ受信オンタイマーは、基地局１０５ｓからの予測されるダウンリンク送信時間と一致する所定の周期性に対してスケジュールされてよい。
【０１１０】
[00126]ＣＵＢＳを監視することはより低い電力プロセスであるので、ＣＵＢＳを監視することは、ＤＲＸオン持続時間監視にわたってＵＥ１１５による電力消費を低減することに留意されたい。その上、ＣＵＢＳが検出されるまで、ＵＥ１１５は、２次セルの競合ベースのスペクトル上でデータ／制御チャネルまたは他のそのような監視を実行しない。
【０１１１】
[00127]ブロック１５０１において、ＣＵＢＳを検出したことに応答して、ＵＥ１１５は、構成されたオン持続時間タイマーに基づくオン持続時間の間に競合ベースの共有スペクトル上のダウンリンク制御チャネルの監視を開始する。ＣＣＡ／ＥＣＣＡ１６０１に示すように、基地局１０５ｓは、フレーム３〜６の一部の間に競合ベースの共有スペクトルを予約することに失敗する。ＣＵＢＳ受信オンタイマー内に入る（fall）、チャネルが取り込まれない期間の間、ＵＥ１１５は、ＣＵＢＳを監視することを継続することになり、そのことが、１６０２および１６０３などにおいてＣＵＢＳが検出されると、フルＰＤＣＣＨ監視に変更することになる。フルＤＲＸオン持続時間監視を開始する前にＣＵＢＳ検出を要求することは、ＵＥ１１５における電力消費を潜在的に引き下げ、基地局１０５ｓが正常にリソースを取り込んだかどうかについての不確かさを取り除き、ＵＥ１１５が２次セル上の無効な割当て／測定を取り除く（prune out）ことを可能にし得る。
【０１１２】
[00128]ブロック１５０２において、ＵＥ１１５は、非アクティビティタイマーまたは構成されたオン持続時間タイマーのいずれかの満了時にスリープモードに入り、非アクティビティタイマーはダウンリンク制御チャネルを検出したことに応答して開始される。たとえば、ＵＥ１１５は、フレーム４および５にわたる非アクティビティタイマーの満了時にスリープモードに入る。１６０４において、ＵＥ１１５は、オン持続時間の間に基地局１０５ｓからＰＤＣＣＨを受信する。それに応答して、非アクティビティタイマーが活性化され、別のＰＤＣＣＨが検出されない限り（unless）、タイマー期間の間、継続することになる。代替的に、ＵＥ１１５は、フレーム７における構成されたオン持続時間タイマーの満了後にスリープモードに入る。さらに、ＵＥ１１５が１６０３においてＣＵＢＳを検出すると、ＤＲＸオン持続時間監視を直ちに起動する代わりに、ＵＥ１１５は所与の数のサブフレームの間、待機する。それゆえ、ＵＥ１１５は、フレーム７においてダウンリンク制御チャネルの監視を開始する。
【０１１３】
[00129]例示的な態様に従って構成されたＣＵＢＳトリガされたＤＲＸプロセスは、競合ベースのスペクトルだけを有する電力効率の良いスタンドアロン動作のサポートを提供する。非競合ベースのスペクトルが利用可能でないとき、ＣＵＢＳトリガされたＤＲＸは、キャリアアグリゲーションに対する電力節約利得動作とデュアル接続性動作とをさらに提供し得る。ＣＵＢＳトリガされたＤＲＸは、有益なウェイクアップ時間を最大化し得、ＵＥ１１５は、基地局１０５２がチャネルを取り込むときにＰＤＣＣＨを監視するだけである。さらに、ＤＲＸタイマーは、ＣＵＢＳが検出された後に実行を起動するだけである。
【０１１４】
[00130]本開示の追加の態様は、ＤＲＸタイマーカウンティングを提供する。レガシーＤＲＸタイマーは、ＰＤＣＣＨが予測されるサブフレームの間だけ実行する。ＴＤＤの場合、ＰＤＣＣＨサブフレームは、システム情報ブロックブロードキャスト（ＳＩＢ１）（ＴＤＤベースコンフィグ（TDD base config））内でシグナリングされる。ｅＩＭＴＡの場合、追加のダウンリンクサブフレームは、Ｌ１シグナリングを介して動的にシグナリングされ得る。ＵＥ１１５は、Ｌ１でシグナリングされたサブフレームとＰＤＣＣＨサブフレームの両方の中でダウンリンク監視のためにウェイクアップする。Ｌ１シグナリングは、ｅＩＭＴＡフレームの起動時に発生してよく、ＵＥ１１５は、同じサブフレーム上の信号を追跡する。
【０１１５】
[00131]本開示の様々な態様では、ＤＲＸタイマー（たとえば、オン持続時間タイマー、非アクティビティタイマー、など）は、ＳＩＢメッセージ内でシグナリングされるＴＤＤ構成内で識別されるダウンリンクサブフレームだけを含み得ることに留意されたい。ｅＩＭＴＡシグナリング内で識別される任意の追加のダウンリンクサブフレーム（たとえば、ダウンリンクサブフレーム、アップリンクサブフレーム、特別の（special）サブフレーム、など）は、ＤＲＸ手順のためにタイマーをインクリメントまたはデクリメントすることにおいて使用されない。
【０１１６】
[00132]競合ベースのスペクトルによって構成されたネットワークでは、ＴＤＤ構成は、一般に動的に決定される。ＵＥ１１５などのＵＥは、ＤＲＸタイマーを更新するためにＴＤＤ構成に気づき得る。本開示の様々な態様は、ＵＥがＴＤＤ構成を獲得するための代替手段を提供する。第１の例では、ＵＥ１１５は、ブロードキャストチャネル（たとえば、ＰＦＦＩＣＨ）または専用のシグナリングを介してＤＲＸオン持続時間内にあるときにＴＤＤ構成を動的に獲得し得る。第２の例では、ＵＥ１１５は、ＤＲＸタイマーの構成（現在のｅＩＭＴＡ手順と同様）を決定する目的で競合ベースのスペクトルに対する所定のベース構成を使用し得る。さらなる代替の例示的な実装形態では、ＵＥ１１５は、サブフレームがアップリンクサブフレームであるかまたはダウンリンクサブフレームであるかにかかわらず、ＤＲＸ目的に対するすべてのサブフレームをカウントし得る。
【０１１７】
[00133]認可動作（licensed operation）では、ＤＲＸ動作はまた、ＵＥ１１５がどのように測定を実行するかに影響を与える。一般に、ＵＥ１１５は、ＤＲＸオフのときに測定を実行することを予測されていない。競合ベースのスペクトルを有するネットワークでは、測定は、ＤＲＳ測定用に構成されたサブフレーム内で実行される。ＤＲＳ構成は、ＤＲＸ構成との十分な重複を有するべきである。しかしながら、競合ベースの送信の不確定な（uncertain）性質のため、ＤＲＸによって（with）構成されたＵＥは、ＤＲＳを長い時間の間測定することはできない。たとえば、ＵＥ１１５がＤＲＸオン持続時間内にあるときに、基地局がＤＲＳを送るための機会を得ない場合。ＵＥ１１５がかなり長い時間の間、ＤＲＳ測定をしなかった場合、ＵＥ１１５は、ＤＲＳ測定を実行するためにＤＲＸからウェイクアップする。例：ＤＲＸサイクル＝３２０ｍｓ、ＤＲＳ期間＝４０ｍｓ。ＵＥは３２０ｍｓごとにウェイクアップし、ＤＲＳ測定を実行することを試みる。一定数の試みの後でＤＲＳが検出されない場合、ＵＥは、ＤＲＳを測定するためにＤＲＳ期間ごとにウェイクアップする。
【０１１８】
[00134]情報および信号は、多種多様な技術および技法のうちのいずれかを使用して表され得ることを、当業者は理解されよう。たとえば、上記の説明全体にわたって参照され得るデータ、命令、コマンド、情報、信号、ビット、シンボル、およびチップは、電圧、電流、電磁波、磁場もしくは磁性粒子、光場もしくは光粒子、またはそれらの任意の組合せによって表現され得る。
【０１１９】
[00135]図８、図１０Ａ、図１０Ｂ、および図１２中の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【０１２０】
[00136]さらに、本明細書の開示に関して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上では概してそれらの機能に関して説明された。そのような機能をハードウェアとして実装するか、ソフトウェアとして実装するかは、具体的な適用例および全体的なシステムに課された設計制約に依存する。当業者は、説明された機能を特定の適用例ごとに様々な方法で実装し得るが、そのような実装の決定は、本開示の範囲からの逸脱を生じるものと解釈されるべきではない。当業者はまた、本明細書で説明された構成要素、方法、または相互作用の順序あるいは組合せは例にすぎないこと、および本開示の様々な態様の構成要素、方法、または相互作用は、本明細書で例示し、説明されたもの以外の方法で組み合わせられるかまたは実行され得ることを容易に認識されよう。
【０１２１】
[00137]本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装されることもある。
【０１２２】
[00138]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、および記憶媒体に情報を書き込むことができるように、プロセッサに結合される。代替的に、記憶媒体はプロセッサと一体化され得る。プロセッサおよび記憶媒体は、ＡＳＩＣ中に存在し得る。ＡＳＩＣは、ユーザ端末中に存在し得る。あるいは、プロセッサおよび記憶媒体は、ユーザ端末内のディスクリートな構成要素として存在し得る。
【０１２３】
[00139]１つまたは複数の例示的な設計では、説明した機能は、ハードウェア、ソフトウェア、ファームウェア、またはそれらの任意の組合せで実装され得る。ソフトウェアで実装される場合、機能は、１つもしくは複数の命令もしくはコードとしてコンピュータ可読媒体上に記憶されるか、またはコンピュータ可読媒体を介して送信され得る。コンピュータ可読媒体は、コンピュータプログラムのある場所から別の場所への転送を容易にする任意の媒体を含む、コンピュータ記憶媒体と通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気記憶デバイス、あるいは命令またはデータ構造の形態の所望のプログラムコード手段を搬送または格納するために使用され得、汎用もしくは専用コンピュータ、または汎用もしくは専用プロセッサによってアクセスされ得る任意の他の媒体を備え得る。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は通常、データを磁気的に再生し、ディスク（disc）は、データをレーザーで光学的に再生する。上記の組合せもコンピュータ可読媒体の範囲に含まれるべきである。
【０１２４】
[00140]特許請求の範囲を含めて、本明細書で使用する場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含むものとして説明される場合、その組成は、Ａのみ、Ｂのみ、Ｃのみ、ＡとＢの組合せ、ＡとＣの組合せ、ＢとＣの組合せ、またはＡとＢとＣの組合せを含むことができる。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）あるいは任意のこれらの組合せにおけるこれらのうちのいずれかを意味するような選言的列挙を示す。
【０１２５】
[00141]本開示についての以上の説明は、いかなる当業者も本開示を作成または使用することができるように与えられたものである。本開示への様々な修正は当業者には容易に明らかになり、本明細書で定義された一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に本願の出願当初の特許請求の範囲に記載された発明を付記する。
［Ｃ１］
ワイヤレス通信の方法であって、
競合ベースの共有スペクトル上のサービング基地局からのチャネル使用信号を、ユーザ機器（ＵＥ）によって監視することと、
前記チャネル使用信号が検出されたとき、構成されたオン持続時間タイマーに基づくオン持続時間の間に前記競合ベースの共有スペクトル上のダウンリンク制御チャネルを監視することと、
非アクティビティタイマー、ここにおいて、前記非アクティビティタイマーは、前記ダウンリンク制御チャネルを検出したことに応答して開始される、または
前記構成されたオン持続時間タイマー
の一方の満了時にスリープモードに入ることと
を備える、方法。
［Ｃ２］
ウェイクアップタイマーを開始することと、ここにおいて、前記ＵＥは、前記ウェイクアップタイマーが開始されるときにチャネル使用信号を前記監視することを開始するために前記スリープモードからウェイクアップする、
前記ウェイクアップタイマーの満了前に前記チャネル使用信号が検出されないときに前記スリープモードに再び入ることと
をさらに含む、Ｃ１に記載の方法。
［Ｃ３］
前記ウェイクアップタイマーが、前記サービング基地局から受信された構成信号に基づいて構成される、Ｃ２に記載の方法。
［Ｃ４］
前記オン持続時間の間に前記チャネル使用信号を検出したことに応答して発見基準信号（ＤＲＳ）を監視することと、
前記ＤＲＳを測定することと
をさらに含む、Ｃ１に記載の方法。
［Ｃ５］
ＤＲＳが検出されない間の前記オン持続時間の間に最後に正常に受信されたＤＲＳからの期間長さを監視することと、
前記期間長さがしきい値を超えるとき、前記ＤＲＳを監視するために前記ＵＥにおいてウェイクアップサイクルを開始することと
をさらに含み、ここにおいて、前記ウェイクアップサイクルが前記ＤＲＳの周期性に対応する、Ｃ４に記載の方法。
［Ｃ６］
ワイヤレス通信の方法であって、
１次キャリアから物理レイヤチャネル上の制御信号を受信することと、
前記制御信号を使用して前記１次キャリアおよび２次キャリアに対する１つまたは複数のタイマーを管理することと
を備え、ここにおいて、前記１つまたは複数のタイマーが、
前記１次キャリアおよび前記２次キャリアのオン持続時間、あるいは
前記１次キャリアまたは前記２次キャリアのスリープモードへのエントリ
の一方と関連付けられ、
前記２次キャリアが競合ベースのキャリアを使用して通信する、方法。
［Ｃ７］
前記１つまたは複数のタイマーのうちの少なくとも１つに部分的に基づいて、第１のアクティブ時間の持続時間の間にユーザ機器（ＵＥ）によって前記１次キャリアを監視することと、
前記第１のアクティブ時間の持続時間に基づいて第２のアクティブ時間の持続時間の間に前記ＵＥによって前記２次キャリアを監視することと、
前記制御信号に応答して前記２次キャリア上で前記スリープモードに入ることと
をさらに含む、Ｃ６に記載の方法。
［Ｃ８］
前記１つまたは複数のタイマーのうちの前記少なくとも１つが、間欠受信（ＤＲＸ）オン持続時間タイマーおよび非アクティビティタイマーを含む、Ｃ７に記載の方法。
［Ｃ９］
前記制御信号に応答して前記１つまたは複数のタイマーのうちの前記少なくとも１つを停止させることをさらに含む、Ｃ７に記載の方法。
［Ｃ１０］
前記１次キャリアに対する第１のＤＲＸサイクル長さ、第１のＤＲＸオフセット、および第１のＤＲＸオン持続時間、ならびに前記２次キャリアに対する第２のＤＲＸサイクル長さ、第２のＤＲＸオフセット、および第２のＤＲＸオン持続時間を識別する構成信号を前記ＵＥにおいて受信することと、ここにおいて、前記第１のＤＲＸサイクル長さ、前記第１のＤＲＸオフセット、前記第２のＤＲＸサイクル長さ、および前記第２のＤＲＸオフセットは、前記ＵＥの第１のＤＲＸオン持続時間と前記２次ＤＲＸオン持続時間との間に少なくとも部分的重複を確実にする、
前記第１のＤＲＸオン持続時間に設定された少なくとも１つの１次キャリアタイマーの間の前記１次キャリアと、前記第２のＤＲＸオン持続時間に設定された少なくとも１つの２次キャリアタイマーの間の前記２次キャリアとを、前記ＵＥによって監視することとをさらに含み、
前記少なくとも１つの１次キャリアタイマーが前記１つまたは複数のタイマーのうちの少なくとも１つのタイマーであり、前記１次キャリアと関連付けられ、前記少なくとも１つの２次キャリアタイマーが前記１つまたは複数のタイマーのうちの少なくとも１つのタイマーであり、前記２次キャリアと関連付けられる、Ｃ６に記載の方法。
［Ｃ１１］
前記２次キャリアを前記監視することが、
システムブロードキャストメッセージ内で通信されるアップリンク−ダウンリンク構成内で識別された１つまたは複数のダウンリンクサブフレーム、および
動的アップリンク−ダウンリンク構成信号内の１つまたは複数のダウンリンクサブフレームの各々の間に発生する、Ｃ１０に記載の方法。
［Ｃ１２］
前記制御信号に応答して前記２次キャリアに対するスリープモードに前記ＵＥにおいて入ることをさらに含む、Ｃ１１に記載の方法。
［Ｃ１３］
前記１つまたは複数のタイマーの前記少なくとも１つの２次キャリアタイマーの間に前記２次キャリア上で２次ダウンリンク制御チャネルを受信することと、
前記２次ダウンリンク制御チャネルに応答して前記２次キャリアに対する前記１つまたは複数のタイマーのうちの非アクティビティタイマーを起動することと、
前記非アクティビティタイマーの間に前記２次キャリア上の次の２次ダウンリンク制御チャネルを監視することを延長することと
をさらに含み、前記制御信号が前記非アクティビティタイマーの間に受信される、Ｃ１２に記載の方法。
［Ｃ１４］
前記１次キャリアから前記物理レイヤ上の２次制御信号を受信することと、
前記２次制御信号に応答して前記１つまたは複数のタイマーのうちの少なくとも１つの第２のタイマーの間に前記２次キャリアを監視することと
をさらに含み、前記１つまたは複数のタイマーのうちの前記少なくとも１つの前記第２のタイマーの持続時間が、
前記構成信号内で受信されるか、あるいは
前記１つまたは複数のタイマーのうちの前記少なくとも１つのタイマーの残り時間に基づくか
の一方である、Ｃ１０に記載の方法。
［Ｃ１５］
前記少なくとも１つの１次キャリアタイマーおよび前記少なくとも１つの２次キャリアタイマーの間に発見基準信号（ＤＲＳ）に対する前記１次キャリアと前記２次キャリアとを監視することと、ここにおいて、前記１次キャリアは競合ベースの共有スペクトルを含む、
前記ＤＲＳを検出したことに応答して前記ＤＲＳを測定することと
をさらに含む、Ｃ１４に記載の方法。
［Ｃ１６］
前記少なくとも１つの２次キャリアタイマーが、前記１つまたは複数のタイマーのうちの前記少なくとも１つの１次キャリアタイマーと重複し、前記方法が、
前記１次キャリア上でダウンリンク制御チャネルを受信することをさらに含み、前記ダウンリンク制御チャネルが、前記２次キャリア上のアップリンク送信に対する少なくとも１つのアップリンク許可を含む、Ｃ１０に記載の方法。
［Ｃ１７］
ワイヤレス通信用に構成された装置であって、前記装置が、
少なくとも１つのプロセッサと、
前記少なくとも１つのプロセッサに結合されたメモリと
を備え、
前記少なくとも１つのプロセッサが、
競合ベースの共有スペクトル上のサービング基地局からのチャネル使用信号をユーザ機器（ＵＥ）によって監視することと、
前記チャネル使用信号が検出されたとき、構成されたオン持続時間タイマーに基づくオン持続時間の間に前記競合ベースの共有スペクトル上のダウンリンク制御チャネルを監視することと、
非アクティビティタイマーと、ここにおいて、前記非アクティビティタイマーは、前記ダウンリンク制御チャネルを検出したことに応答して開始される、または
前記構成されたオン持続時間タイマー
の一方の満了時にスリープモードに入ることと
を行うように構成される、装置。
［Ｃ１８］
ウェイクアップタイマーを開始することと、ここにおいて、前記ＵＥは、前記ウェイクアップタイマーが開始されるときにチャネル使用信号を前記監視することを開始するために前記スリープモードからウェイクアップする、
前記ウェイクアップタイマーの満了前に前記チャネル使用信号が検出されないときに前記スリープモードに再び入ることと
を行うための、前記少なくとも１つのプロセッサの構成をさらに含む、Ｃ１７に記載の装置。
［Ｃ１９］
前記オン持続時間の間に前記チャネル使用信号を検出したことに応答して発見基準信号（ＤＲＳ）を監視することと、
前記ＤＲＳを測定することと
を行うための、前記少なくとも１つのプロセッサの構成をさらに含む、Ｃ１７に記載の装置。
［Ｃ２０］
ＤＲＳが検出されない間の前記オン持続時間の間に最後に正常に受信されたＤＲＳからの期間長さを監視することと、
前記期間長さがしきい値を超えるとき、前記ＤＲＳを監視するために前記ＵＥにおいてウェイクアップサイクルを開始することと、前記ウェイクアップサイクルが前記ＤＲＳの周期性に対応する、
を行うための、前記少なくとも１つのプロセッサの構成をさらに含む、Ｃ１９に記載の装置。
［Ｃ２１］
ワイヤレス通信用に構成された装置であって、前記装置が、
少なくとも１つのプロセッサと、
前記少なくとも１つのプロセッサに結合されたメモリと
を備え、
前記少なくとも１つのプロセッサが、
１次キャリアから物理レイヤチャネル上の制御信号を受信することと、
前記制御信号を使用して前記１次キャリアおよび２次キャリアに対する１つまたは複数のタイマーを管理することと
を行うように構成され、前記１つまたは複数のタイマーが、
前記１次キャリアおよび前記２次キャリアのオン持続時間、あるいは
前記１次キャリアまたは前記２次キャリアのスリープモードへのエントリ
の一方と関連付けられ、
ここにおいて、前記２次キャリアが競合ベースのキャリアを使用して通信する、装置。
［Ｃ２２］
前記１つまたは複数のタイマーのうちの少なくとも１つに部分的に基づいて、第１のアクティブ時間の持続時間の間に前記１次キャリアをユーザ機器（ＵＥ）によって監視することと、
前記第１のアクティブ時間の持続時間に基づいて第２のアクティブ時間の持続時間の間に前記２次キャリアを前記ＵＥによって監視することと、
前記制御信号に応答して前記２次キャリア上で前記スリープモードに入ることと
を行うための、前記少なくとも１つのプロセッサの構成をさらに含む、Ｃ２１に記載の装置。
［Ｃ２３］
前記１つまたは複数のタイマーのうちの前記少なくとも１つが、間欠受信（ＤＲＸ）オン持続時間タイマーおよび非アクティビティタイマーを含む、Ｃ２２に記載の装置。
［Ｃ２４］
前記１次キャリアに対する第１のＤＲＸサイクル長さ、第１のＤＲＸオフセット、および第１のＤＲＸオン持続時間、ならびに前記２次キャリアに対する第２のＤＲＸサイクル長さ、第２のＤＲＸオフセット、および第２のＤＲＸオン持続時間を識別する構成信号を前記ＵＥにおいて受信することと、ここにおいて、前記第１のＤＲＸサイクル長さ、前記第１のＤＲＸオフセット、前記第２のＤＲＸサイクル長さ、および前記第２のＤＲＸオフセットは、前記ＵＥの第１のＤＲＸオン持続時間と前記２次ＤＲＸオン持続時間との間に少なくとも部分的重複を確実にする、
前記第１のＤＲＸオン持続時間に設定された少なくとも１つの１次キャリアタイマーの間の前記１次キャリアと、前記第２のＤＲＸオン持続時間に設定された少なくとも１つの２次キャリアタイマーの間の前記２次キャリアとを、前記ＵＥによって監視することとを行うための、前記少なくとも１つのプロセッサの構成をさらに含み、
ここにおいて、前記少なくとも１つの１次キャリアタイマーが前記１つまたは複数のタイマーのうちの少なくとも１つのタイマーであり、前記１次キャリアと関連付けられ、前記少なくとも１つの２次キャリアタイマーが前記１つまたは複数のタイマーのうちの少なくとも１つのタイマーであり、前記２次キャリアと関連付けられる、Ｃ２１に記載の装置。
［Ｃ２５］
前記２次キャリアを監視するための前記少なくとも１つのプロセッサの前記構成が、  システムブロードキャストメッセージ内で通信されるアップリンク−ダウンリンク構成内で識別された１つまたは複数のダウンリンクサブフレーム、および
動的アップリンク−ダウンリンク構成信号内の１つまたは複数のダウンリンクサブフレームの各々の間に発生する、Ｃ２４に記載の装置。
［Ｃ２６］
前記制御信号に応答して前記２次キャリアに対するスリープモードに前記ＵＥにおいて入るための、前記少なくとも１つのプロセッサの構成をさらに含む、Ｃ２５に記載の装置。
［Ｃ２７］
前記１つまたは複数のタイマーのうちの前記少なくとも１つの２次キャリアタイマーの間に前記２次キャリア上で２次ダウンリンク制御チャネルを受信することと、
前記２次ダウンリンク制御チャネルに応答して前記２次キャリアに対する前記１つまたは複数のタイマーのうちの非アクティビティタイマーを起動することと、
前記非アクティビティタイマーの間に前記２次キャリア上の次の２次ダウンリンク制御チャネルを監視することを延長することと
を行うための、前記少なくとも１つのプロセッサの構成をさらに含み、前記制御信号が前記非アクティビティタイマーの間に受信される、Ｃ２６に記載の装置。
［Ｃ２８］
前記１次キャリアから前記物理レイヤ上の２次制御信号を受信することと、
前記２次制御信号に応答して前記１つまたは複数のタイマーのうちの少なくとも１つの第２のタイマーの間に前記２次キャリアを監視することと
を行うための、前記少なくとも１つのプロセッサの構成をさらに含み、前記１つまたは複数のタイマーのうちの前記少なくとも１つの前記第２のタイマーの持続時間は、
前記構成信号内で受信されるか、あるいは
前記１つまたは複数のタイマーのうちの前記少なくとも１つのタイマーの残り時間に基づくか
の一方である、Ｃ２４に記載の装置。
［Ｃ２９］
前記少なくとも１つの１次キャリアタイマーおよび前記少なくとも１つの２次キャリアタイマーの間に発見基準信号（ＤＲＳ）に対する前記１次キャリアと前記２次キャリアとを監視することと、ここにおいて、前記１次キャリアは競合ベースの共有スペクトルを含む、
前記ＤＲＳを検出したことに応答して前記ＤＲＳを測定することと
を行うための、前記少なくとも１つのプロセッサの構成をさらに含む、Ｃ２８に記載の装置。
［Ｃ３０］
前記少なくとも１つの２次キャリアタイマーが、前記１つまたは複数のタイマーのうちの前記少なくとも１つの１次キャリアタイマーと重複し、前記装置が、前記１次キャリア上でダウンリンク制御チャネルを受信するための、前記少なくとも１つのプロセッサの構成をさらに含み、前記ダウンリンク制御チャネルが、前記２次キャリア上のアップリンク送信に対する少なくとも１つのアップリンク許可を含む、Ｃ２４に記載の装置。
【図１】
0006743042.tif 000002
【図２Ａ】
0006743042.tif 000003
【図２Ｂ】
0006743042.tif 000004
【図３】
0006743042.tif 000005
【図４】
0006743042.tif 000006
【図５】
0006743042.tif 000007
【図６】
0006743042.tif 000008
【図７】
0006743042.tif 000009
【図８】
0006743042.tif 000010
【図９】
0006743042.tif 000011
【図１０】
0006743042.tif 000012
【図１１】
0006743042.tif 000013
【図１２】
0006743042.tif 000014
【図１３】
0006743042.tif 000015
【図１４】
0006743042.tif 000016
【図１５】
0006743042.tif 000017
【図１６】
0006743042.tif 000018